(57)【要約】受信された送信の一部分についての処理要件の、同じ送信の他の部分についての処理要件と比べた低減のための技法が提供される。異なるコーディングスキームが、データ送信の一部分に対して用いられうる。いくつかの例では、データ送信の末尾部分は、データ送信の他の部分と比べて低減された処理要件を有したコーディングスキームを使用しうる。低減された処理要件は、受信機が、比較的素早く受信の確認応答を生成することを可能にし得、それは、送信の受信を確認応答するためのレイテンシを低減しうる。【選択図】図２
2018501744.tif 000002
【特許請求の範囲】
【請求項１】
ワイヤレス通信のための方法であって、
受信機にデータパケット中で送信されるべきデータを識別することと、
前記データをコーディングするための第１のコーディングスキームおよび第２のコーディングスキームを識別することと、
前記データパケットの第１の部分および前記データパケットの第２の部分を識別することと、ここにおいて、前記データパケットの前記第１の部分は、前記データパケットの前記第２の部分とは異なる処理要件に関連付けられる、
前記データパケットを送信することと、ここにおいて、前記データパケットの前記第１の部分は、前記第１のコーディングスキームにしたがって送信され、前記データパケットの前記第２の部分は、前記第２のコーディングスキームにしたがって送信される、
を備える、方法。
【請求項２】
前記データパケットの前記第２の部分についての前記異なる処理要件は、前記データパケットの前記第１の部分に対して確認応答を生成するための処理要件より低い、前記データパケットの前記第２の部分に対して確認応答を生成するための処理要件を備える、請求項１に記載の方法。
【請求項３】
前記第１のコーディングスキームは、第１のコードレートを使用し、前記第２のコーディングスキームは、前記第１のコードレートと比べて低減された第２のコードレートを使用する、請求項１に記載の方法。
【請求項４】
前記第１のコーディングスキームは、第１のコードレートを使用し、前記第２のコーディングスキームは、前記第１のコードレートと比べて増大された第２のコードレートを使用する、請求項１に記載の方法。
【請求項５】
前記第１のコーディングスキームは、第１のトランスポートブロックサイズを使用し、前記第２のコーディングスキームは、前記第１のトランスポートブロックサイズより小さい第２のトランスポートブロックサイズを使用する、請求項１に記載の方法。
【請求項６】
前記第１のコーディングスキームは、第１のトランスポートブロックサイズを使用し、前記第２のコーディングスキームは、前記第１のトランスポートブロックサイズより大きい第２のトランスポートブロックサイズを使用する、請求項１に記載の方法。
【請求項７】
前記データパケットの前記第２の部分は、前記データパケットに関連付けられた非データ関連情報を備え、前記データパケットの前記第１の部分は、前記データパケットに関連付けられたペイロードデータを備える、請求項１に記載の方法。
【請求項８】
前記データパケットの前記第２の部分は、前記データパケットの前記第１の部分と比べて、ブラインド検出、制御チャネル処理またはチャネル状態情報（ＣＳＩ）計算のうちの１つまたは複数のための低減された要件を有する、請求項１に記載の方法。
【請求項９】
前記データパケットを送信することに反応して、確認応答メッセージを受信すること、ここにおいて、前記確認応答メッセージは、前記データパケットの前記第１の部分に関連付けられた少なくとも１つの確認応答および前記データパケットの前記第２の部分に関連付けられた少なくとも１つの確認応答を備える、
をさらに備える、請求項１に記載の方法。
【請求項１０】
前記データパケットの前記第２の部分は、前記データパケットのパケット末尾部分を備え、前記データパケットの前記第１の部分は、前記データパケットの先頭部分を備える、請求項１に記載の方法。
【請求項１１】
前記データパケットの前記第２の部分は、前記データパケットの先頭部分を備え、前記データパケットの前記第１の部分は、前記データパケットの末尾部分を備える、請求項１に記載の方法。
【請求項１２】
前記第１のコーディングスキームおよび前記第２のコーディングスキームを示すために、シグナリングを送信すること
をさらに備える、請求項１に記載の方法。
【請求項１３】
前記シグナリングは、制御チャネル送信またはパケットヘッダのうちの１つまたは複数中で送信される、請求項１２に記載の方法。
【請求項１４】
前記データをコーディングするための第３のコーディングスキームを識別することと、
前記データパケットの第３の部分を識別することと、ここにおいて、前記データパケットの前記第３の部分は、前記データパケットの前記第１の部分または前記データパケットの前記第２の部分、あるいは前記データパケットの前記第１の部分および前記データパケットの前記第２の部分の両方とは異なる処理要件に関連付けられ、
前記データパケットの前記第３の部分は、前記第３のコーディングスキームにしたがって送信される、
をさらに備える、請求項１に記載の方法。
【請求項１５】
前記第１のコーディングスキームは、第１のコードレートを使用し、前記第２のコーディングスキームは、前記第１のコードレートと比べて低減された第２のコードレートを使用し、前記第３のコーディングスキームは、前記第２のコードレートと比べて低減された第３のコードレートを使用する、請求項１４に記載の方法。
【請求項１６】
前記第１のコーディングスキームは、第１のコードレートを使用し、前記第２のコーディングスキームは、前記第１のコードレートと比べて増大された第２のコードレートを使用し、前記第３のコーディングスキームは、前記第２のコードレートと比べて低減された第３のコードレートを使用する、請求項１４に記載の方法。
【請求項１７】
前記データパケットの前記第１の部分は、前記データパケットの先頭部分を備え、前記データパケットの前記第２の部分は、前記データパケットの中間部分を備え、前記データパケットの前記第３の部分は、前記データパケットの末尾部分を備える、請求項１４に記載の方法。
【請求項１８】
ワイヤレス通信のための装置であって、
受信機にデータパケット中で送信されるべきデータを識別するための手段と、
前記データをコーディングするための第１のコーディングスキームおよび第２のコーディングスキームを識別するための手段と、
前記データパケットの第１の部分および前記データパケットの第２の部分を識別するための手段と、ここにおいて、前記データパケットの前記第１の部分は、前記データパケットの前記第２の部分とは異なる処理要件に関連付けられる、
前記データパケットを送信するための手段と、ここにおいて、前記データパケットの前記第１の部分は、前記第１のコーディングスキームにしたがって送信され、前記データパケットの前記第２の部分は、前記第２のコーディングスキームにしたがって送信される、
を備える、装置。
【請求項１９】
前記データパケットの前記第２の部分についての前記異なる処理要件は、前記データパケットの前記第１の部分に対して確認応答を生成するための処理要件より低い、前記データパケットの前記第２の部分に対して確認応答を生成するための処理要件を備える、請求項１８に記載の装置。
【請求項２０】
前記第１のコーディングスキームは、第１のコードレートを使用し、前記第２のコーディングスキームは、前記第１のコードレートと比べて低減された第２のコードレートを使用する、請求項１８に記載の装置。
【請求項２１】
前記第１のコーディングスキームは、第１のコードレートを使用し、前記第２のコーディングスキームは、前記第１のコードレートと比べて増大された第２のコードレートを使用する、請求項１８に記載の装置。
【請求項２２】
前記第１のコーディングスキームは、第１のトランスポートブロックサイズを使用し、前記第２のコーディングスキームは、前記第１のトランスポートブロックサイズより小さい第２のトランスポートブロックサイズを使用する、請求項１８に記載の装置。
【請求項２３】
前記第１のコーディングスキームは、第１のトランスポートブロックサイズを使用し、前記第２のコーディングスキームは、前記第１のトランスポートブロックサイズより大きい第２のトランスポートブロックサイズを使用する、請求項１８に記載の装置。
【請求項２４】
前記データパケットの前記第２の部分は、前記データパケットに関連付けられた非データ関連情報を備え、前記データパケットの前記第１の部分は、前記データパケットに関連付けられたペイロードデータを備える、請求項１８に記載の装置。
【請求項２５】
前記データパケットの前記第２の部分は、前記データパケットの前記第１の部分と比べて、ブラインド検出、制御チャネル処理またはチャネル状態情報（ＣＳＩ）計算のうちの１つまたは複数のための低減された要件を有する、請求項１８に記載の装置。
【請求項２６】
前記データパケットを送信することに反応して、確認応答メッセージを受信するための手段、ここにおいて、前記確認応答メッセージは、前記データパケットの前記第１の部分に関連付けられた少なくとも１つの確認応答および前記データパケットの前記第２の部分に関連付けられた少なくとも１つの確認応答を備える、
をさらに備える、請求項１８に記載の装置。
【請求項２７】
前記データパケットの前記第２の部分は、前記データパケットの末尾部分を備え、前記データパケットの前記第１の部分は、前記データパケットの先頭部分を備える、請求項１８に記載の装置。
【請求項２８】
前記データパケットの前記第２の部分は、前記データパケットの先頭部分を備え、前記データパケットの前記第１の部分は、前記データパケットの末尾部分を備える、請求項１８に記載の装置。
【請求項２９】
前記第１のコーディングスキームおよび前記第２のコーディングスキームを示すために、シグナリングを送信するための手段
をさらに備える、請求項１８に記載の装置。
【請求項３０】
前記データをコーディングするための第３のコーディングスキームを識別するための手段と、
前記データパケットの第３の部分を識別するための手段と、ここにおいて、前記データパケットの前記第３の部分は、前記データパケットの前記第１の部分または前記データパケットの前記第２の部分、あるいは前記データパケットの前記第１の部分および前記データパケットの前記第２の部分の両方とは異なる処理要件に関連付けられ、
前記データパケットの前記第３の部分は、前記第３のコーディングスキームにしたがって送信される、
をさらに備える、請求項１８に記載の装置。
【請求項３１】
前記第１のコーディングスキームは、第１のコードレートを使用し、前記第２のコーディングスキームは、前記第１のコードレートと比べて低減された第２のコードレートを使用し、前記第３のコーディングスキームは、前記第２のコードレートと比べて低減された第３のコードレートを使用する、請求項３０に記載の装置。
【請求項３２】
前記第１のコーディングスキームは、第１のコードレートを使用し、前記第２のコーディングスキームは、前記第１のコードレートと比べて増大された第２のコードレートを使用し、前記第３のコーディングスキームは、前記第２のコードレートと比べて低減された第３のコードレートを使用する、請求項３０に記載の装置。
【請求項３３】
前記データパケットの前記第１の部分は、前記データパケットの先頭部分を備え、前記データパケットの前記第２の部分は、前記データパケットの中間部分を備え、前記データパケットの前記第３の部分は、前記データパケットの末尾部分を備える、請求項３０に記載の装置。
【請求項３４】
ワイヤレス通信のための装置であって、
プロセッサと、
前記プロセッサと電子通信中のメモリと、
前記メモリ中に記憶された命令と
を備え、前記命令は、前記装置に、
受信機にデータパケット中で送信されるべきデータを識別することと、
前記データをコーディングするための第１のコーディングスキームおよび第２のコーディングスキームを識別することと、
前記データパケットの第１の部分および前記データパケットの第２の部分を識別することと、ここにおいて、前記データパケットの前記第１の部分は、前記データパケットの前記第２の部分とは異なる処理要件に関連付けられる、
前記データパケットを送信することと、ここにおいて、前記データパケットの前記第１の部分は、前記第１のコーディングスキームにしたがって送信され、前記データパケットの前記第２の部分は、前記第２のコーディングスキームにしたがって送信される、
を行わせるように前記プロセッサによって実行可能である、装置。
【請求項３５】
前記データパケットの前記第２の部分についての前記異なる処理要件は、前記データパケットの前記第１の部分に対して確認応答を生成するための処理要件より低い、前記データパケットの前記第２の部分に対して確認応答を生成するための処理要件を備える、請求項３４に記載の装置。
【請求項３６】
前記第１のコーディングスキームは、第１のコードレートを使用し、前記第２のコーディングスキームは、前記第１のコードレートと比べて低減された第２のコードレートを使用する、請求項３４に記載の装置。
【請求項３７】
前記第１のコーディングスキームは、第１のコードレートを使用し、前記第２のコーディングスキームは、前記第１のコードレートと比べて増大された第２のコードレートを使用する、請求項３４に記載の装置。
【請求項３８】
前記第１のコーディングスキームは、第１のトランスポートブロックサイズを使用し、前記第２のコーディングスキームは、前記第１のトランスポートブロックサイズより小さい第２のトランスポートブロックサイズを使用する、請求項３４に記載の装置。
【請求項３９】
前記第１のコーディングスキームは、第１のトランスポートブロックサイズを使用し、前記第２のコーディングスキームは、前記第１のトランスポートブロックサイズより大きい第２のトランスポートブロックサイズを使用する、請求項３４に記載の装置。
【請求項４０】
前記データパケットの前記第２の部分は、前記データパケットに関連付けられた非データ関連情報を備え、前記データパケットの前記第１の部分は、前記データパケットに関連付けられたペイロードデータを備える、請求項３４に記載の装置。
【請求項４１】
前記データパケットの前記第２の部分は、前記データパケットの前記第１の部分と比べて、ブラインド検出、制御チャネル処理またはチャネル状態情報（ＣＳＩ）計算のうちの１つまたは複数のための低減された要件を有する、請求項３４に記載の装置。
【請求項４２】
前記命令は、前記装置に、
前記データパケットを送信することに反応して、確認応答メッセージを受信すること、ここにおいて、前記確認応答メッセージは、前記データパケットの前記第１の部分に関連付けられた少なくとも１つの確認応答および前記データパケットの前記第２の部分に関連付けられた少なくとも１つの確認応答を備える、
を行わせるように前記プロセッサによってさらに実行可能である、請求項３４に記載の装置。
【請求項４３】
前記データパケットの前記第２の部分は、前記データパケットの末尾部分を備え、前記データパケットの前記第１の部分は、前記データパケットの先頭部分を備える、請求項３４に記載の装置。
【請求項４４】
前記データパケットの前記第２の部分は、前記データパケットの先頭部分を備え、前記データパケットの前記第１の部分は、前記データパケットの末尾部分を備える、請求項３４に記載の装置。
【請求項４５】
前記命令は、前記装置に、
前記第１のコーディングスキームおよび前記第２のコーディングスキームを示すために、シグナリングを送信すること
を行わせるように前記プロセッサによってさらに実行可能である、請求項３４に記載の装置。
【請求項４６】
前記命令は、前記装置に、
前記データをコーディングするための第３のコーディングスキームを識別することと、
前記データパケットの第３の部分を識別することと、ここにおいて、前記データパケットの前記第３の部分は、前記データパケットの前記第１の部分または前記データパケットの前記第２の部分、あるいは前記データパケットの前記第１の部分および前記データパケットの前記第２の部分の両方とは異なる処理要件に関連付けられる、
前記データパケットの前記第３の部分を前記第３のコーディングスキームにしたがって送信することと
を行わせるように前記プロセッサによってさらに実行可能である、請求項３４に記載の装置。
【請求項４７】
前記第１のコーディングスキームは、第１のコードレートを使用し、前記第２のコーディングスキームは、前記第１のコードレートと比べて低減された第２のコードレートを使用し、前記第３のコーディングスキームは、前記第２のコードレートと比べて低減された第３のコードレートを使用する、請求項４６に記載の装置。
【請求項４８】
前記第１のコーディングスキームは、第１のコードレートを使用し、前記第２のコーディングスキームは、前記第１のコードレートと比べて増大された第２のコードレートを使用し、前記第３のコーディングスキームは、前記第２のコードレートと比べて低減された第３のコードレートを使用する、請求項４６に記載の装置。
【請求項４９】
前記データパケットの前記第１の部分は、前記データパケットの先頭部分を備え、前記データパケットの前記第２の部分は、前記データパケットの中間部分を備え、前記データパケットの前記第３の部分は、前記データパケットの末尾部分を備える、請求項４６に記載の装置。
【請求項５０】
ワイヤレス通信のためのコンピュータ実行可能コードを記憶する非一時的コンピュータ可読媒体であって、前記コードは、
受信機にデータパケット中で送信されるべきデータを識別することと、
前記データをコーディングするための第１のコーディングスキームおよび第２のコーディングスキームを識別することと、
前記データパケットの第１の部分および前記データパケットの第２の部分を識別することと、ここにおいて、前記データパケットの前記第１の部分は、前記データパケットの前記第２の部分とは異なる処理要件に関連付けられる、
前記データパケットを送信することと、ここにおいて、前記データの前記第１の部分は、前記第１のコーディングスキームにしたがって送信され、前記データパケットの前記第２の部分は、前記第２のコーディングスキームにしたがって送信される、
を行うように実行可能である、非一時的コンピュータ可読媒体。
【請求項５１】
ワイヤレス通信のための方法であって、
データパケットの送信を受信することと、前記送信は、前記データパケットの第１の部分についての第１のコーディングスキーム、および前記データパケットの第２の部分についての第２のコーディングスキームを有し、ここにおいて、前記第２のコーディングスキームは、前記第１のコーディングスキームと比べて異なる処理要件を有する、
確認応答メッセージを生成するために、前記データパケットの前記第１の部分および前記データパケットの前記第２の部分を処理することと、
前記確認応答メッセージを送信することと
を備える、方法。
【請求項５２】
前記第１のコーディングスキームは、前記データパケットの前記第１の部分に対して第１のコードレートを使用し、前記第２のコーディングスキームは、前記データパケットの前記第２の部分に対して、前記第１のコードレートと比べて低減された第２のコードレートを使用する、請求項５１に記載の方法。
【請求項５３】
前記第１のコーディングスキームは、前記データパケットの前記第１の部分に対して第１のトランスポートブロックサイズを使用し、前記第２のコーディングスキームは、前記データパケットの前記第２の部分に対して、前記第１のトランスポートブロックサイズより小さい第２のトランスポートブロックサイズを使用する、請求項５１に記載の方法。
【請求項５４】
前記データパケットの前記第１の部分は、前記データパケットに関連付けられたペイロードデータを提供し、前記データパケットの前記第２の部分は、前記データパケットに関連付けられた非ペイロードデータ関連情報を提供する、請求項５１に記載の方法。
【請求項５５】
前記データパケットの前記第２の部分は、前記データパケットの前記第１の部分と比べて、ブラインド検出、制御チャネル処理またはチャネル状態情報（ＣＳＩ）計算のうちの１つまたは複数のための低減された要件を有する、請求項５１に記載の方法。
【請求項５６】
前記処理することは、
前記データパケットの前記第２の部分を受信する間に前記データパケットの前記第１の部分を処理することと、
前記データパケットの前記第２の部分を受信した後で前記データパケットの前記第２の部分を処理することと、ここにおいて、前記データパケットの前記第２の部分を前記処理することは、前記データパケットの前記第１の部分を処理することより計算的に集約度が低い、
を備える、請求項５１に記載の方法。
【請求項５７】
前記確認応答メッセージは、前記データパケットの前記第１の部分に関連付けられた少なくとも１つの確認応答および前記データパケットの前記第２の部分に関連付けられた少なくとも１つの確認応答を備える、請求項５１に記載の方法。
【請求項５８】
前記データパケットの前記第１の部分は、前記データパケットの先頭部分を備え、前記データパケットの前記第２の部分は、前記データパケットの末尾部分を備える、請求項５１に記載の方法。
【請求項５９】
前記データパケットの前記第１の部分は、前記データパケットの末尾部分を備え、前記データパケットの前記第２の部分は、前記データパケットの先頭部分を備える、請求項５１に記載の方法。
【請求項６０】
前記第１のコーディングスキームは、前記データパケットの前記第１の部分に対して第１のコードレートを使用し、前記第２のコーディングスキームは、前記データパケットの前記第２の部分に対して、前記第１のコードレートと比べて増大された第２のコードレートを使用する、請求項５１に記載の方法。
【請求項６１】
前記第１のコーディングスキームは、前記データパケットの前記第１の部分を成功裡に復号するより高い可能性を提供し、第２のコードレートをサポートするために使用され得る、より正確なチャネル推定値を決定するための情報を提供する、請求項５１に記載の方法。
【請求項６２】
前記第１のコーディングスキームは、前記データパケットの前記第１の部分に対して第１のトランスポートブロックサイズを使用し、前記第２のコーディングスキームは、前記データパケットの前記第２の部分に対して、前記第１のトランスポートブロックサイズより大きい第２のトランスポートブロックサイズを使用する、請求項５１に記載の方法。
【請求項６３】
前記第１のコーディングスキームは、第１の空間スキームを使用し、前記第２のコーディングスキームは、第２の空間スキームを使用する、または、
前記第１のコーディングスキームは、アンテナポートの第１のセットを使用し、前記第２のコーディングスキームは、アンテナポートの第２のセットを使用する、または、
前記第１のコーディングスキームは、前記データパケットの前記第１の部分に対してリソース要素の第１のサブセットを使用し、前記第２のコーディングスキームは、前記データパケットの前記第２の部分に対してリソース要素の異なるサブセットを使用する、
請求項５１に記載の方法。
【請求項６４】
より低いランクが、前記第１のコーディングスキームに対して使用され、より高いランクが、前記第２のコーディングスキームに対して使用される、請求項５１に記載の方法。
【請求項６５】
前記第１のコーディングスキームおよび前記第２のコーディングスキームを示すために、シグナリングを受信すること
をさらに備える、請求項５１に記載の方法。
【請求項６６】
前記シグナリングは、制御チャネル送信またはパケットヘッダのうちの１つまたは複数中で受信される、請求項６５に記載の方法。
【請求項６７】
前記データパケットの前記第１の部分および前記データパケットの前記第２の部分は、異なる送信スキームを使用する、請求項５１に記載の方法。
【請求項６８】
前記確認応答メッセージを生成するために、前記データパケットの第３の部分を処理すること、ここにおいて、前記送信は、前記データパケットの前記第３の部分についての第３のコーディングスキームを有し、前記第３のコーディングスキームは、前記第１のコーディングスキームまたは前記第２のコーディングスキーム、あるいは前記第１のコーディングスキームおよび前記第２のコーディングスキームの両方と比べて異なる処理要件を有する、
をさらに備える、請求項５１に記載の方法。
【請求項６９】
前記第１のコーディングスキームは、第１のコードレートを使用し、前記第２のコーディングスキームは、前記第１のコードレートと比べて低減された第２のコードレートを使用し、前記第３のコーディングスキームは、前記第２のコードレートと比べて低減された第３のコードレートを使用する、請求項６８に記載の方法。
【請求項７０】
前記第１のコーディングスキームは、第１のコードレートを使用し、前記第２のコーディングスキームは、前記第１のコードレートと比べて増大された第２のコードレートを使用し、前記第３のコーディングスキームは、前記第２のコードレートと比べて低減された第３のコードレートを使用する、請求項６８に記載の方法。
【請求項７１】
前記データパケットの前記第１の部分は、前記データパケットの先頭部分を備え、前記データパケットの前記第２の部分は、前記データパケットの中間部分を備え、前記データパケットの前記第３の部分は、前記データパケットの末尾部分を備える、請求項６８に記載の方法。
【請求項７２】
ワイヤレス通信のための装置であって、
データパケットの送信を受信するための手段と、前記送信は、前記データパケットの第１の部分についての第１のコーディングスキーム、および前記データパケットの第２の部分についての第２のコーディングスキームを有し、ここにおいて、前記第２のコーディングスキームは、前記第１のコーディングスキームと比べて異なる処理要件を有する、
確認応答メッセージを生成するために、前記データパケットの前記第１の部分および前記データパケットの前記第２の部分を処理するための手段と、
前記確認応答メッセージを送信するための手段と
を備える、装置。
【請求項７３】
前記第１のコーディングスキームは、前記データパケットの前記第１の部分に対して第１のコードレートを使用し、前記第２のコーディングスキームは、前記データパケットの前記第２の部分に対して、前記第１のコードレートと比べて低減された第２のコードレートを使用する、請求項７２に記載の装置。
【請求項７４】
前記第１のコーディングスキームは、前記データパケットの前記第１の部分に対して第１のトランスポートブロックサイズを使用し、前記第２のコーディングスキームは、前記データパケットの前記第２の部分に対して、前記第１のトランスポートブロックサイズより小さい第２のトランスポートブロックサイズを使用する、請求項７２に記載の装置。
【請求項７５】
前記データパケットの前記第１の部分は、前記データパケットに関連付けられたペイロードデータを提供し、前記データパケットの前記第２の部分は、前記データパケットに関連付けられた非ペイロードデータ関連情報を提供する、請求項７２に記載の装置。
【請求項７６】
前記データパケットの前記第２の部分は、前記データパケットの前記第１の部分と比べて、ブラインド検出、制御チャネル処理またはチャネル状態情報（ＣＳＩ）計算のうちの１つまたは複数のための低減された要件を有する、請求項７２に記載の装置。
【請求項７７】
前記処理するための手段は、前記データパケットの前記第２の部分を受信する間に前記データパケットの前記第１の部分を処理することと、前記データパケットの前記第２の部分を受信した後で前記データパケットの前記第２の部分を処理することとを行うように動作可能であり、前記データパケットの前記第２の部分を処理することは、前記データパケットの前記第１の部分を処理することより計算的に集約度が低い、請求項７２に記載の装置。
【請求項７８】
前記確認応答メッセージは、前記データパケットの前記第１の部分に関連付けられた少なくとも１つの確認応答および前記データパケットの前記第２の部分に関連付けられた少なくとも１つの確認応答を備える、請求項７２に記載の装置。
【請求項７９】
前記データパケットの前記第１の部分は、前記データパケットの先頭部分を備え、前記データパケットの前記第２の部分は、前記データパケットの末尾部分を備える、請求項７２に記載の装置。
【請求項８０】
前記データパケットの前記第１の部分は、前記データパケットの末尾部分を備え、前記データパケットの前記第２の部分は、前記データパケットの先頭部分を備える、請求項７２に記載の装置。
【請求項８１】
前記第１のコーディングスキームは、前記データパケットの前記第１の部分に対して第１のコードレートを使用し、前記第２のコーディングスキームは、前記データパケットの前記第２の部分に対して、前記第１のコードレートと比べて増大された第２のコードレートを使用する、請求項７２に記載の装置。
【請求項８２】
前記第１のコーディングスキームは、前記データパケットの前記第１の部分を成功裡に復号するより高い可能性を提供し、第２のコードレートをサポートするために使用されうる、より正確なチャネル推定値を決定するための情報を提供する、請求項７２に記載の装置。
【請求項８３】
前記第１のコーディングスキームは、前記データパケットの前記第１の部分に対して第１のトランスポートブロックサイズを使用し、前記第２のコーディングスキームは、前記データパケットの前記第２の部分に対して、前記第１のトランスポートブロックサイズより大きい第２のトランスポートブロックサイズを使用する、請求項７２に記載の装置。
【請求項８４】
前記第１のコーディングスキームは、第１の空間スキームを使用し、前記第２のコーディングスキームは、第２の空間スキームを使用する、または、
前記第１のコーディングスキームは、アンテナポートの第１のセットを使用し、前記第２のコーディングスキームは、アンテナポートの第２のセットを使用する、または、
前記第１のコーディングスキームは、前記データパケットの前記第１の部分に対してリソース要素の第１のサブセットを使用し、前記第２のコーディングスキームは、前記データパケットの前記第２の部分に対してリソース要素の異なるサブセットを使用する、
請求項７２に記載の装置。
【請求項８５】
より低いランクが、前記第１のコーディングスキームに対して使用され、より高いランクが、前記第２のコーディングスキームに対して使用される、請求項７２に記載の装置。
【請求項８６】
前記確認応答メッセージを生成するために、前記データパケットの前記第１の部分および前記データパケットの前記第２の部分を前記処理するための手段は、
前記確認応答メッセージを生成するために、前記データパケットの第３の部分を処理すること、ここにおいて、前記送信は、前記データパケットの前記第３の部分についての第３のコーディングスキームを有し、前記第３のコーディングスキームは、前記第１のコーディングスキームまたは前記第２のコーディングスキーム、あるいは前記第１のコーディングスキームおよび前記第２のコーディングスキームの両方と比べて異なる処理要件を有する、
を行うように動作可能である、請求項７２に記載の装置。
【請求項８７】
前記第１のコーディングスキームは、第１のコードレートを使用し、前記第２のコーディングスキームは、前記第１のコードレートと比べて低減された第２のコードレートを使用し、前記第３のコーディングスキームは、前記第２のコードレートと比べて低減された第３のコードレートを使用する、請求項８６に記載の装置。
【請求項８８】
前記第１のコーディングスキームは、第１のコードレートを使用し、前記第２のコーディングスキームは、前記第１のコードレートと比べて増大された第２のコードレートを使用し、前記第３のコーディングスキームは、前記第２のコードレートと比べて低減された第３のコードレートを使用する、請求項８６に記載の装置。
【請求項８９】
前記データパケットの前記第１の部分は、前記データパケットの先頭部分を備え、前記データパケットの前記第２の部分は、前記データパケットの中間部分を備え、前記データパケットの前記第３の部分は、前記データパケットの末尾部分を備える、請求項８６に記載の装置。
【請求項９０】
ワイヤレス通信のための装置であって、
プロセッサと、
前記プロセッサと電子通信中のメモリと、
前記メモリ中に記憶された命令と
を備え、前記命令は、前記装置に、
データパケットの送信を受信することと、前記送信は、前記データパケットの第１の部分についての第１のコーディングスキーム、および前記データパケットの第２の部分についての第２のコーディングスキームを有し、ここにおいて、前記第２のコーディングスキームは、前記第１のコーディングスキームと比べて異なる処理要件を有する、
確認応答メッセージを生成するために、前記データパケットの前記第１の部分および前記データパケットの前記第２の部分を処理することと、
前記確認応答メッセージを送信することと
を行わせるように前記プロセッサによって実行可能である、装置。
【請求項９１】
前記第１のコーディングスキームは、前記データパケットの前記第１の部分に対して第１のコードレートを使用し、前記第２のコーディングスキームは、前記データパケットの前記第２の部分に対して、前記第１のコードレートと比べて低減された第２のコードレートを使用する、請求項９０に記載の装置。
【請求項９２】
前記第１のコーディングスキームは、前記データパケットの前記第１の部分に対して第１のトランスポートブロックサイズを使用し、前記第２のコーディングスキームは、前記データパケットの前記第２の部分に対して、前記第１のトランスポートブロックサイズより小さい第２のトランスポートブロックサイズを使用する、請求項９０に記載の装置。
【請求項９３】
前記データパケットの前記第１の部分は、前記データパケットに関連付けられたペイロードデータを提供し、前記データパケットの前記第２の部分は、前記データパケットに関連付けられた非ペイロードデータ関連情報を提供する、請求項９０に記載の装置。
【請求項９４】
前記データパケットの前記第２の部分は、前記データパケットの前記第１の部分と比べて、ブラインド検出、制御チャネル処理またはチャネル状態情報（ＣＳＩ）計算のうちの１つまたは複数のための低減された要件を有する、請求項９０に記載の装置。
【請求項９５】
前記命令は、前記装置に、
前記データパケットの前記第２の部分を受信する間に前記データパケットの前記第１の部分を処理することと、
前記データパケットの前記第２の部分を受信した後で前記データパケットの前記第２の部分を処理することと、ここにおいて、前記データパケットの前記第２の部分を前記処理することは、前記データパケットの前記第１の部分を処理することより計算的に集約度が低い、
を行わせるように前記プロセッサによってさらに実行可能である、請求項９０に記載の装置。
【請求項９６】
前記確認応答メッセージは、前記データパケットの前記第１の部分および前記データパケットの前記第２の部分に関連付けられた複数の確認応答を備える、請求項９０に記載の装置。
【請求項９７】
前記データパケットの前記第１の部分は、前記データパケットの先頭部分を備え、前記データパケットの前記第２の部分は、前記データパケットの末尾部分を備える、請求項９０に記載の装置。
【請求項９８】
前記データパケットの前記第１の部分は、前記データパケットの末尾部分を備え、前記データパケットの前記第２の部分は、前記データパケットの先頭部分を備える、請求項９０に記載の装置。
【請求項９９】
前記第１のコーディングスキームは、前記データパケットの前記第１の部分に対して第１のコードレートを使用し、前記第２のコーディングスキームは、前記データパケットの前記第２の部分に対して、前記第１のコードレートと比べて増大された第２のコードレートを使用する、請求項９０に記載の装置。
【請求項１００】
前記第１のコーディングスキームは、前記データパケットの前記第１の部分を成功裡に復号するより高い可能性を提供し、第２のコードレートをサポートするために使用されうる、より正確なチャネル推定値を決定するための情報を提供する、請求項９０に記載の装置。
【請求項１０１】
前記第１のコーディングスキームは、前記データパケットの前記第１の部分に対して第１のトランスポートブロックサイズを使用し、前記第２のコーディングスキームは、前記データパケットの前記第２の部分に対して、前記第１のトランスポートブロックサイズより大きい第２のトランスポートブロックサイズを使用する、請求項９０に記載の装置。
【請求項１０２】
前記第１のコーディングスキームは、第１の空間スキームを使用し、前記第２のコーディングスキームは、第２の空間スキームを使用する、または、
前記第１のコーディングスキームは、アンテナポートの第１のセットを使用し、前記第２のコーディングスキームは、アンテナポートの第２のセットを使用する、または、
前記第１のコーディングスキームは、前記データパケットの前記第１の部分に対してリソース要素の第１のサブセットを使用し、前記第２のコーディングスキームは、前記データパケットの前記第２の部分に対してリソース要素の異なるサブセットを使用する、
請求項９０に記載の装置。
【請求項１０３】
より低いランクが、前記第１のコーディングスキームに対して使用され、より高いランクが、前記第２のコーディングスキームに対して使用される、請求項９０に記載の装置。
【請求項１０４】
前記データパケットの前記第１の部分および前記データパケットの前記第２の部分は、異なる送信スキームを使用する、請求項９０に記載の装置。
【請求項１０５】
前記命令は、前記装置に、
前記第１のコーディングスキームおよび前記第２のコーディングスキームを示すために、シグナリングを受信すること
を行わせるように前記プロセッサによってさらに実行可能である、請求項９０に記載の装置。
【請求項１０６】
前記命令は、前記装置に、
前記確認応答メッセージを生成するために、前記データパケットの第３の部分を処理すること、ここにおいて、前記送信は、前記データパケットの前記第３の部分についての第３のコーディングスキームを有し、前記第３のコーディングスキームは、前記第１のコーディングスキームまたは前記第２のコーディングスキーム、あるいは前記第１のコーディングスキームおよび前記第２のコーディングスキームの両方と比べて異なる処理要件を有する、
を行わせるように前記プロセッサによってさらに実行可能である、請求項９０に記載の装置。
【請求項１０７】
前記第１のコーディングスキームは、第１のコードレートを使用し、前記第２のコーディングスキームは、前記第１のコードレートと比べて低減された第２のコードレートを使用し、前記第３のコーディングスキームは、前記第２のコードレートと比べて低減された第３のコードレートを使用する、請求項１０６に記載の装置。
【請求項１０８】
前記第１のコーディングスキームは、第１のコードレートを使用し、前記第２のコーディングスキームは、前記第１のコードレートと比べて増大された第２のコードレートを使用し、前記第３のコーディングスキームは、前記第２のコードレートと比べて低減された第３のコードレートを使用する、請求項１０６に記載の装置。
【請求項１０９】
前記データパケットの前記第１の部分は、前記データパケットの先頭部分を備え、前記データパケットの前記第２の部分は、前記データパケットの中間部分を備え、前記データパケットの前記第３の部分は、前記データパケットの末尾部分を備える、請求項１０６に記載の装置。
【請求項１１０】
ワイヤレス通信のためのコンピュータ実行可能コードを記憶する非一時的コンピュータ可読媒体であって、前記コードは、
データパケットの送信を受信することと、前記送信は、前記データパケットの第１の部分についての第１のコーディングスキーム、および前記データパケットの第２の部分についての第２のコーディングスキームを有し、ここにおいて、前記第２のコーディングスキームは、前記第１のコーディングスキームと比べて異なる処理要件を有する、
確認応答メッセージを生成するために、前記データパケットの前記第１の部分および前記データパケットの前記第２の部分を処理することと、
前記確認応答メッセージを送信することと
を行うように実行可能である、非一時的コンピュータ可読媒体。
【発明の詳細な説明】
【関連出願の相互参照】
【０００１】
[0001] 本特許出願は、２０１５年１１月３日に出願された「Reducing Processing Time for Low Latency Transmission and Reception」と題されたLuo他による米国特許出願第１４／９３１，１９６号、および２０１４年１１月６日に出願された「Method of Reducing Processing Time for Low Latency Transmission and Reception」と題されたLuo他による米国仮特許出願第６２／０７６，３９０号の優先権を主張し、それらの各々は、本願の譲受人に譲渡される。
【背景技術】
【０００２】
[0002] 本開示は、例えば、ワイヤレス通信システムに関し、より具体的には、受信された送信の一部分についての処理要件（processing requirements）の、同じ送信の他の部分についての処理要件と比べた低減に関する。
【０００３】
[0003] ワイヤレス通信システムは、音声、映像、パケットデータ、メッセージング、ブロードキャスト、等のような様々なタイプの通信コンテンツを提供するために広く展開されている。これらのシステムは、利用可能なシステムリソース（例えば、時間、周波数、および電力）を共有することによって複数のユーザとの通信をサポートすることが可能な多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
[0004] 例として、ワイヤレス多元接続通信システムは、いくつかの基地局を含みえ、各々が、別名ユーザ機器（ＵＥ）として知られている複数の通信デバイスのための通信を同時にサポートする。基地局は、（例えば、基地局からＵＥへの送信のために）ダウンリンクチャネルおよび（例えば、ＵＥから基地局への送信のために）アップリンクチャネル上でＵＥと通信しうる。
【０００５】
[0005] いくつかの事例では、モバイルデバイスと基地局との間での送信エラーは、自動再送要求（ＡＲＱ）スキームを利用することによって避けられるおよび／または訂正される。ＡＲＱスキームは、受信されたパケットにエラーがあるかどうかを検出するために用いられうる。例えば、ＡＲＱスキームでは、受信機は、パケットがエラーなく受信されると、肯定応答（positive acknowledgment）（ＡＣＫ）で送信機に通知し、受信機は、エラーが検出された場合、否定応答（negative acknowledgment）（ＮＡＣＫ）で送信機に通知しうる。ハイブリッドＡＲＱ（ＨＲＡＱ）スキームは、いくつかのエラーを訂正し、ある特定の訂正不可能なパケットを検出および破棄するために使用されうる。いくつかのシナリオでは、しかしながら、ＨＡＲＱ遅延全体が、ワイヤレス通信においてある特定の非効率性を引き起こしうる。
【発明の概要】
【０００６】
[0006] 説明される特徴は概して、ワイヤレス通信システム内での、受信された送信の一部分についての処理要件の、同じ送信の他の部分についての処理要件と比べた低減のための、１つまたは複数の改善されたシステム、方法、および／またはデバイスに関する。いくつかの例では、ワイヤレス通信システム内の基地局およびＵＥは、データ送信の一部分に対して異なるコーディングスキームを用いうる。いくつかの例では、データ送信の末尾部分（tail portion）は、データ送信の他の部分と比べて低減された処理要件を有したコーディングスキームを使用しうる。低減された処理要件は、受信機が、比較的素早く受信の確認応答（acknowledgment）を生成することを可能にしえ、それは、１つまたは複数の送信の受信を確認応答する（acknowledging）ためのレイテンシを低減しうる。いくつかの例では、送信の末尾部分は、送信の残りの部分の処理要件と比べてデータの受信の確認応答を生成するための処理要件を低減するために、送信の残りの部分と比べて低減されたコードレートまたは低減されたブロックサイズを使用しうる。
【０００７】
[0007] いくつかの例では、送信の１つまたは複数の部分は、送信の他の部分と比べて成功裡の受信および復号のより高い確率を有するコーディングスキームを使用しうる。送信のそのような部分に関連付けられて計算されたチャネル推定情報は、そのような他の部分の成功裡の受信および復号の可能性を増大させるために、成功裡の受信および復号の比較的より低い確率を有する送信の他の部分上で使用されうる。いくつかの例では、送信の先頭部分（head portion）は、先頭部分中のデータが成功裡に受信および復号されるであろう可能性を増大させるために、送信の残りの部分と比べて低減されたコードレートまたは低減されたブロックサイズを使用しうる。
【０００８】
[0008] 本開示の例の第１のセットにしたがって、ワイヤレス通信のための方法が説明され、方法は、データパケットの送信を受信することを含み、送信は、データパケットの第１の部分についての第１のコーディングスキーム、およびデータパケットの第２の部分についての第２のコーディングスキームを有する。方法はまた、確認応答メッセージを生成するために、データパケットの第１の部分およびデータパケットの第２の部分を処理することと、確認応答メッセージを送信することとを含みうる。
【０００９】
[0009] 例の第１のセットにしたがって、ワイヤレス通信のための装置が説明され、装置は、データパケットの送信を受信するための手段を含み、送信は、データパケットの第１の部分についての第１のコーディングスキーム、およびデータパケットの第２の部分についての第２のコーディングスキームを有する。装置はまた、確認応答メッセージを生成するために、データパケットの第１の部分およびデータパケットの第２の部分を処理するための手段と、確認応答メッセージを送信するための手段とを含みうる。
【００１０】
[0010] 例の第１のセットのしたがって、ワイヤレス通信のための別の装置が説明され、装置は、プロセッサと、プロセッサと電子通信中のメモリと、メモリ中に記憶された命令とを含む。命令は、装置に、データパケットの送信を受信することと、送信は、データパケットの第１の部分についての第１のコーディングスキーム、およびデータパケットの第２の部分についての第２のコーディングスキームを有し、確認応答メッセージを生成するために、データパケットの第１の部分およびデータパケットの第２の部分を処理することと、確認応答メッセージを送信することとを行わせるようにプロセッサによって実行可能でありうる。
【００１１】
[0011] 例の第１のセットにしたがって、ワイヤレス通信のためのコードを記憶する非一時的コンピュータ可読媒体が説明される。コードは、データパケットの送信を受信することと、送信は、データパケットの第１の部分についての第１のコーディングスキーム、およびデータパケットの第２の部分についての第２のコーディングスキームを有し、確認応答メッセージを生成するために、データパケットの第１の部分およびデータパケットの第２の部分を処理することと、確認応答メッセージを送信することとを行うようにプロセッサによって実行可能である命令を含みうる。
【００１２】
[0012] 例の第１のセットの方法、装置、および／または非一時的コンピュータ可読媒体のいくつかの態様では、第２のコーディングスキームは、第１のコーディングスキームと比べて異なる（例えば、低減された）処理要件を有する。第１のコーディングスキームは、いくつかの例では、データパケットの第１の部分に対して第１のコードレートを使用し、第２のコーディングスキームは、データパケットの第２の部分に対して、第１のコードレートと比べて低減された第２のコードレートを使用しうる。ある特定の例では、第１のコーディングスキームは、データパケットの第１の部分に対して第１のトランスポートブロックサイズを使用し、第２のコーディングスキームは、データパケットの第２の部分に対して、第１のトランスポートブロックサイズより小さい第２のトランスポートブロックサイズを使用しうる。
【００１３】
[0013] ある特定の例では、データパケットの第１の部分は、データパケットに関連付けられたペイロードデータを提供し、データパケットの第２の部分は、データパケットに関連付けられた非ペイロードデータ関連情報を提供する。いくつかの例では、データパケットの第２の部分は、データパケットの第１の部分と比べて、ブラインド検出、制御チャネル処理またはチャネル状態情報（ＣＳＩ）計算のうちの１つまたは複数のための低減された要件を有しうる。
【００１４】
[0014] 例の第１のセットの方法、装置、および／または非一時的コンピュータ可読媒体のいくつかの態様では、データパケットを処理することは、データパケットの第２の部分を受信する間にデータパケットの第１の部分を処理することと、データパケットの第２の部分を受信した後でデータパケットの第２の部分を処理することとを含み得、データパケットの第２の部分を処理することは、データパケットの第１の部分を処理することより計算的に集約度が低い（less computationally intensive）。いくつかの例では、確認応答メッセージは、データパケットの第１および第２の部分に関連付けられた複数の確認応答を含みうる。
【００１５】
[0015] 例の第１のセットの方法、装置、および／または非一時的コンピュータ可読媒体のいくつかの態様では、データパケットの第１の部分は、データパケットの先頭部分であり、データパケットの第２の部分は、データパケットの末尾部分である。いくつかの例では、データパケットの第１の部分は、データパケットの末尾部分であり、データパケットの第２の部分は、データパケットの先頭部分である。第１のコーディングスキームは、いくつかの例では、データパケットの第１の部分に対して第１のコードレートを使用し、第２のコーディングスキームは、データパケットの第２の部分に対して、第１のコードレートと比べて増大された第２のコードレートを使用し得る。いくつかの例では、第１のコーディングスキームは、データパケットの第１の部分を成功裡に復号するより高い可能性を提供し、第２のコードレートをサポートするために使用され得る、より正確なチャネル推定を決定するための情報を提供する。ある特定の例では、第１のコーディングスキームは、データパケットの第１の部分に対して第１のトランスポートブロックサイズを使用し、第２のコーディングスキームは、データパケットの第２の部分に対して、第１のトランスポートブロックサイズより大きい第２のトランスポートブロックサイズを使用する。
【００１６】
[0016] 例の第１のセットの方法、装置、および／または非一時的コンピュータ可読媒体のいくつかの態様では、第１のコーディングスキームは、アンテナポートの第１のセットを使用し得、第２のコーディングスキームは、アンテナポートの第２のセットを使用する。より低いランクが、例えば、第１のコーディングスキームに対して使用され、より高いランクが、第２のコーディングスキームに対して使用され得る。いくつかの例では、第１のコーディングスキームは、データパケットの第１の部分に対してリソース要素の第１のサブセットを使用し、第２のコーディングスキームは、データパケットの第２の部分に対してリソース要素の異なるサブセットを使用する。
【００１７】
[0017] 例の第１のセットの方法、装置、および／または非一時的コンピュータ可読媒体のいくつかの態様では、シグナリングは、第１および第２のコーディングスキームを示すために受信されうる。シグナリングは、例えば、制御チャネル送信またはパケットヘッダのうちの１つまたは複数中で受信されうる。いくつかの例では、データパケットの第１の部分およびデータパケットの第２の部分は、異なる送信スキームを使用する。例では、データパケットの第３の部分は、確認応答メッセージを生成するように処理されうる。送信は、データパケットの第３の部分についての第３のコーディングスキームを有し、第３のコーディングスキームは、第１のコーディングスキームまたは第２のコーディングスキーム、あるいは第１のコーディングスキームおよび第２のコーディングスキームの両方と比べて異なる処理要件を有しうる。
【００１８】
[0018] 例えば、第１のコーディングスキームは、第１のコードレートを使用し、第２のコーディングスキームは、第１のコードレートと比べて低減された第２のコードレートを使用し、第３のコーディングスキームは、第２のコードレートと比べて低減された第３のコードレートを使用しうる。他の例では、第１のコーディングスキームは、第１のコードレートを使用し、第２のコーディングスキームは、第１のコードレートと比べて増大された第２のコードレートを使用し、第３のコーディングスキームは、第２のコードレートと比べて低減された第３のコードレートを使用しうる。データパケットの第１の部分は、データパケットの先頭部分であり、データパケットの第２の部分は、データパケットの中間部分であり、データパケットの第３の部分は、データパケットの末尾部分でありうる。
【００１９】
[0019] 例示的な例の第２のセットにしたがって、ワイヤレス通信のための方法が説明される。一例では、方法は、受信機にデータパケット中で送信されるべきデータを識別することと、データをコーディングするための第１のコーディングスキームおよび第２のコーディングスキームを識別することとを含みうる。方法はまた、データパケットの第１の部分およびデータパケットの第２の部分を識別することを含みうる。データパケットの第２の部分は、データパケットの第１の部分とは異なる（例えば、より低い）処理要件に関連付けられうる。方法はまた、データパケットを送信することを含み、第１の部分は、第１のコーディングスキームにしたがって送信され、第２の部分は、第２のコーディングスキームにしたがって送信されうる。
【００２０】
[0020] 例の第２のセットにしたがって、ワイヤレス通信のための装置が説明される。一構成では、装置は、受信機にデータパケット中で送信されるべきデータを識別するための手段と、データをコーディングするための第１のコーディングスキームおよび第２のコーディングスキームを識別するための手段とを含みうる。装置はまた、データパケットの第１の部分およびデータパケットの第２の部分を識別するための手段を含みうる。データパケットの第１の部分は、データパケットの第２の部分とは異なる処理要件に関連付けられうる。装置はまた、データパケットを送信するための手段を含み、データパケットの第１の部分は、第１のコーディングスキームにしたがって送信され、データパケットの第２の部分は、第２のコーディングスキームにしたがって送信されうる。
【００２１】
[0021] 例の第２のセットにしたがって、ワイヤレス通信のための別の装置が説明される。一構成では、装置は、プロセッサと、プロセッサと電子通信中のメモリと、メモリ中に記憶された命令とを含みうる。命令は、装置に、受信機にデータパケット中で送信されるべきデータを識別することと、データをコーディングするための第１のコーディングスキームおよび第２のコーディングスキームを識別することと、データパケットの第１の部分およびデータパケットの第２の部分を識別することとを行わせるようにプロセッサによって実行可能でありうる。データパケットの第１の部分は、データパケットの第２の部分とは異なる処理要件に関連付けられうる。命令はまた、装置に、データパケットを送信することを行わせるようにプロセッサによって実行可能であり、データパケットの第１の部分は、第１のコーディングスキームにしたがって送信され、データパケットの第２の部分は、第２のコーディングスキームにしたがって送信されうる。
【００２２】
[0022] 例の第２のセットにしたがって、ワイヤレス通信のためのコンピュータ実行可能コードを記憶する非一時的コンピュータ可読媒体が説明される。一構成では、コードは、受信機にデータパケット中で送信されるべきデータを識別することと、データをコーディングするための第１のコーディングスキームおよび第２のコーディングスキームを識別することと、データパケットの第１の部分およびデータパケットの第２の部分を識別することとを行うように実行可能でありうる。データパケットの第１の部分は、データパケットの第２の部分とは異なる処理要件に関連付けられうる。コードはまた、データパケットを送信するように実行可能であり、データパケットの第１の部分は、第１のコーディングスキームにしたがって送信され、データパケットの第２の部分は、第２のコーディングスキームにしたがって送信されうる。
【００２３】
[0023] 例の第２のセットの方法、装置、および／または非一時的コンピュータ可読媒体のいくつかの態様では、データパケットの第２の部分についての異なる処理要件は、データパケットの第１の部分中のデータに対して確認応答を生成するための処理要件より低い、データパケットの第２の部分の確認応答を生成するための処理要件を含み得る。第１のコーディングスキームは、例えば、第１のコードレートを使用し、第２のコーディングスキームは、第１のコードレートと比べて低減された第２のコードレートを使用し得る。いくつかの例では、第１のコーディングスキームは、第１のトランスポートブロックサイズを使用し、第２のコーディングスキームは、第１のトランスポートブロックサイズより小さい第２のトランスポートブロックサイズを使用しうる。いくつかの例では、データパケットの第２の部分は、データパケットに関連付けられた非データ関連情報（non-data related information）を含み、データパケットの第１の部分は、データパケットに関連付けられたペイロードデータを含みうる。ある特定の例では、データパケットの第２の部分は、データの残り部分と比べて、ブラインド検出、制御チャネル処理またはチャネル状態情報（ＣＳＩ）計算のうちの１つまたは複数のための低減された要件を有し得る。いくつかの例では、確認応答メッセージは、データパケットを送信することに反応して受信され、確認応答メッセージは、データパケットの第１の部分に関連付けられた少なくとも確認応答およびデータパケットの第２の部分に関連付けられた少なくとも１つの確認応答を含み得る。
【００２４】
[0024] 例の第２のセットの方法、装置、および／または非一時的コンピュータ可読媒体のいくつかの態様では、データパケットの第２の部分は、データパケットの末尾部分であり、データパケットの第１の部分は、データパケットの先頭部分である。ある特定の例では、データパケットの第１の部分は、データパケットの先頭部分であり、データパケットの第２の部分は、データパケットの末尾部分である。第１のコーディングスキームは、例えば、第１のコードレートを使用し、第２のコーディングスキームは、第１のコードレートと比べて増大された第２のコードレートを使用しうる。ある特定の例では、第１のコーディングスキームは、第１のトランスポートブロックサイズを使用し、第２のコーディングスキームは、第１のトランスポートブロックサイズより大きい第２のトランスポートブロックサイズを使用する。いくつかの例では、シグナリングは、第１および第２のコーディングスキームを示すために、例えば、制御チャネル送信またはパケットヘッダのうちの１つまたは複数中で、送信されうる。
【００２５】
[0025] いくつかの態様では、例の第２のセットの方法、装置、および／または非一時的コンピュータ可読媒体は、データをコーディングするための第３のコーディングスキームを識別することと、データパケットの第３の部分を識別することとを含みうる。データパケットの第３の部分は、データパケットの第１の部分またはデータパケットの第２の部分、あるいはデータパケットの第１の部分およびデータパケットの第２の部分の両方とは異なる処理要件に関連付けられうる。データパケットの第３の部分は、第３のコーディングスキームにしたがって送信されうる。いくつか例では、第１のコーディングスキームは、第１のコードレートを使用し、第２のコーディングスキームは、第１のコードレートと比べて低減された第２のコードレートを使用し、第３のコーディングスキームは、第２のコードレートと比べて低減された第３のコードレートを使用しうる。他の例では、第１のコーディングスキームは、第１のコードレートを使用し、第２のコーディングスキームは、第１のコードレートと比べて増大された第２のコードレートを使用し、第３のコーディングスキームは、第２のコードレートと比べて低減された第３のコードレートを使用しうる。加えてまたは代替として、データパケットの第１の部分は、データパケットの先頭部分であり、データパケットの第２の部分は、データパケットの中間部分であり、データパケットの第３の部分は、データパケットの末尾部分であり得る。
【００２６】
[0026] 前述は、以下の詳細な説明がより良く理解されうるように、本開示にしたがった例の特徴および技術的利点をどちらかといえば広く概説している。追加の特徴および利点が以下に説明されることになる。開示される概念および特定の例は、本開示と同じ目的を実行するための他の構造を修正または設計するための基礎として容易に利用されうる。そのような等価な構造は、添付された特許請求の範囲の範囲から逸脱しない。本明細書で開示される概念の特性は、関連する利点とともに、それらの編成および動作の方法の両方に関して、添付の図面に関連して検討されたときに以下の説明からより良く理解されるであろう。図面の各々は、例示および説明のみを目的として提供され、特許請求の範囲の限定の定義としては提供されない。
【００２７】
[0027] 本発明の性質および利点のさらなる理解が、以下の図面を参照することによって実現されうる。添付された図面では、同様のコンポーネントまたは特徴は、同じ参照ラベルを有しうる。さらに、同じタイプの様々なコンポーネントは、参照ラベルに、ダッシュと、同様のコンポーネント間を区別する第２のラベルとを後続させることによって区別されうる。本明細書中で第１の参照ラベルのみが使用される場合、その説明は、第２の参照ラベルに関係なく同じ第１の参照ラベルを有する同様のコンポーネントのうちのいずれか１つに適用可能である。
【図面の簡単な説明】
【００２８】
【図１】本開示の様々な態様にしたがって、ワイヤレス通信システムのブロック図を示す。
【図２】本開示の様々な態様にしたがって、ワイヤレス通信システム中で使用されうるレガシおよび低レイテンシフレーム構造の例を例示する図である。
【図３】本開示の様々な態様にしたがって、低減されたレイテンシフィードバックを提供するために、ワイヤレス通信システムの送信の異なる部分中において送信され得る異なるデータの例を例示する図である。
【図４】本開示の様々な態様にしたがって、低減されたレイテンシフィードバックを提供するために、ワイヤレス通信システムの送信の異なる部分中において使用され得る異なるコーディングスキームの例を例示する図である。
【図５】本開示の様々な態様にしたがって、送信の一部分に対する強化された受信および復号を提供するために、ワイヤレス通信システムの送信の異なる部分中において使用され得る異なるコーディングスキームの例を例示する図である。
【図６】本開示の様々な態様にしたがって、送信の一部分に対する強化された受信および復号を提供するために、ワイヤレス通信システムの送信の異なる部分中において送信され得る異なるデータの例を例示する図である。
【図７】本開示の様々な態様にしたがって、ワイヤレス通信で使用するために構成されたデバイスのブロック図を示す。
【図８】本開示の様々な態様にしたがって、ワイヤレス通信で使用するために構成されたデバイスのブロック図を示す。
【図９】本開示の様々な態様にしたがって、ワイヤレス通信システムのブロック図を示す。
【図１０】本開示の様々な態様にしたがって、ワイヤレス通信で使用するための装置のブロック図を示す。
【図１１】本開示の様々な態様にしたがって、ワイヤレス通信で使用するための装置のブロック図を示す。
【図１２】本開示の様々な態様にしたがって、ワイヤレス通信で使用するための基地局（例えば、ｅＮＢの一部または全てを形成する基地局）のブロック図を示す。
【図１３】本開示の様々な態様にしたがって、多入力／多出力通信システムのブロック図を示す。
【図１４】本開示の様々な態様にしたがって、ワイヤレス通信のための方法の例を例示するフローチャートである。
【図１５】本開示の様々な態様にしたがって、ワイヤレス通信のための方法の別の例を例示するフローチャートである。
【図１６】本開示の様々な態様にしたがって、ワイヤレス通信のための方法の別の例を例示するフローチャートである。
【図１７】本開示の様々な態様にしたがって、ワイヤレス通信のための方法の別の例を例示するフローチャートである。
【詳細な説明】
【００２９】
[0045] ワイヤレス通信システム内で、受信された送信の一部分についての処理要件を、同じ送信の他の部分についての処理要件と比べて低減するための技法が説明される。低減された処理要件は、より低いレイテンシフィードバックを可能にし得るか、または送信中に含まれるデータの強化された受信および復号を可能にし得る。いくつかの例では、ワイヤレス通信システム内の基地局およびＵＥは、データ送信の一部分に対して異なるコーディングスキームを用い得る。いくつかの例では、データ送信の末尾部分は、データ送信の他の部分と比べて低減された処理要件を有したコーディングスキームを使用し得る。低減された処理要件は、受信機が、比較的素早く受信の確認応答を生成することを可能にし得、それは、１つまたは複数の送信の受信を確認応答するためのレイテンシを低減し得る。いくつかの例では、送信の末尾部分は、送信の残りの部分の処理要件と比べてデータの受信の確認応答を生成するための処理要件を低減するために、送信の残りの部分と比べて低減されたコードレートまたは低減されたブロックサイズを使用し得る。
【００３０】
[0046] いくつかの例では、送信の１つまたは複数の部分は、送信の他の部分と比べて成功裡の受信および復号のより高い確率を有するコーディングスキームを使用し得る。送信のそのような部分に関連付けられて計算されたチャネル推定情報は、そのような他の部分の成功裡の受信および復号の可能性を増大させるために、成功裡の受信および復号の比較的より低い確率を有する送信の他の部分上で使用され得る。いくつかの例では、送信の先頭部分は、先頭部分中のデータが成功裡に受信および復号されるであろう可能性を増大させるために、送信の残りの部分と比べて低減されたコードレートまたは低減されたブロックサイズを使用し得る。
【００３１】
[0047] 以下の説明は、例を提供しており、特許請求の範囲に記載されている範囲、適用可能性、または例を限定してはいない。本開示の範囲から逸脱することなしに、論述される要素の機能および配置に変更がなされうる。様々な例は、適宜、様々なプロシージャまたはコンポーネントを省略、代用、あるいは追加し得る。例えば、説明される方法は、説明されるものとは異なる順序で遂行され得、様々なステップが追加、省略、または組み合わされうる。また、いくつかの例に関して説明される特徴は、他の例中で組み合され得る。
【００３２】
[0048] 図１は、本開示の様々な態様にしたがって、ワイヤレス通信システム１００の例を例示する。ワイヤレス通信システム１００は、基地局１０５、ＵＥ１１５、およびコアネットワーク１３０を含む。コアネットワーク１３０は、ユーザ認証、アクセス認証、追跡、インターネットプロトコル（ＩＰ）接続性、および他のアクセス、ルーティング、またはモビリティ機能を提供しうる。基地局１０５は、バックホールリンク１３２（例えば、Ｓ１、等）を通じてコアネットワーク１３０とインターフェースをとり、ＵＥ１１５との通信のためのスケジューリングおよび無線構成を遂行し得るか、または基地局コントローラ（図示せず）の制御下で動作し得る。様々な例では、基地局１０５は、直接的にまたは間接的にのいずれかで（例えば、コアネットワーク１３０を通じて）、バックホールリンク１３４（例えば、Ｘ１、等）を通して互いと通信し得、それは、ワイヤードまたはワイヤレス通信リンクであり得る。
【００３３】
[0049] 基地局１０５は、１つまたは複数の基地局アンテナを介してＵＥ１１５とワイヤレスで通信しうる。基地局１０５のサイトの各々は、それぞれの地理的カバレッジエリア１１０に対する通信カバレッジを提供しうる。いくつかの例では、基地局１０５は、ベーストランシーバ局、無線基地局、アクセスポイント、無線トランシーバ、ノードＢ、ｅノードＢ（ｅＮＢ）、ホームノードＢ、ホームｅノードＢ、または何らかの他の適した専門用語で呼ばれうる。基地局１０５に対する地理的カバレッジエリア１１０は、カバレッジエリアの一部分のみを構成するセクタに分割されうる（図示せず）。ワイヤレス通信システム１００は、異なるタイプの基地局１０５（例えば、マクロおよび／またはスモールセル基地局）を含みうる。異なる技術のために重複している地理的カバレッジエリア１１０が存在しうる。
【００３４】
[0050] いくつかの例では、ワイヤレス通信システム１００の少なくとも一部分は、低レイテンシ通信を使用して動作するように構成され得、その中では、送信のシンボル長は、レガシシステムのシンボル長と比べて低減され得、それは、送信の受信の確認応答のための、レガシシステムのレイテンシと比べて低減されたレイテンシを提供しうる。いくつかの例では、ＵＥ１１５は、例えば、ＨＡＲＱスキームを通じて送信に対するＡＣＫ／ＮＡＣＫを提供することによって、送信の受信を確認応答しうる。レガシフレーム構造を使用するまたはレガシシステム中での送信に対するＵＥ１１５からの確認応答は、いくつかの例では、送信が受信されたサブフレームに続く予め定義された数のサブフレームの後で提供されうる。ＵＥ１１５は、低レイテンシモードで動作しているとき、例では、送信が受信されたシンボルに続くある特定の数のシンボル内で受信を確認応答しうる。ＡＣＫ／ＮＡＣＫを送信し、再送信を受信するために必要とされる時間は、ラウンドトリップタイム（ＲＴＴ）と呼ばれ得、このことから、レガシフレーム構造を使用して送信されるデータは、低レイテンシモードを使用して送信されるデータについてのＲＴＴより長いＲＴＴを有しうる。
【００３５】
[0051] いくつかの例では、ＡＣＫ／ＮＡＣＫを生成するために必要とされる処理時間は、低減された処理要件を有する送信の一部分に対してコーディングスキームを使用することによってさらに低減されうる。例えば、送信の末尾部分は、送信の先頭部分と比べて低減された処理要件を有するコーディングスキームを使用しうる。ＵＥ１１５は、送信の先頭部分を受信し、ＡＣＫ／ＮＡＣＫの生成のために送信を処理し始めうる。送信の末尾部分が受信されると、ＡＣＫ／ＮＡＣＫの生成のために必要とされる対応する処理が低減され得、このことから、ＡＣＫ／ＮＡＣＫがより素早く生成されることを可能にする。様々な例にしたがった異なる送信戦略およびコーディングスキームが、以下により詳細に説明されることになる。
【００３６】
[0052] いくつかの例では、ワイヤレス通信システム１００は、ＬＴＥ（登録商標）／ＬＴＥ−Ａネットワークである。ＬＴＥ／ＬＴＥ−Ａネットワークでは、発展型ノードＢ（ｅＮＢ）という用語は概して、基地局１０５を説明するために使用され得、その一方で、ＵＥという用語は概して、ＵＥ１１５を説明するために使用されうる。ワイヤレス通信システム１００は、異なるタイプのｅＮＢが様々な地理的領域に対するカバレッジを提供する異機種ＬＴＥ／ＬＴＥ−Ａネットワークでありうる。例えば、各ｅＮＢまたは基地局１０５は、マクロセル、スモールセル、および／または他のタイプのセルに対する通信カバレッジを提供しうる。「セル」という用語は、コンテキストに依存して、基地局、基地局に関連付けられたキャリアまたはコンポーネントキャリア、あるいはキャリアまたは基地局のカバレッジエリア（例えば、セクタ、等）を説明するために使用されることができる第３世代パートナーシッププロジェクト（３ＧＰＰ（登録商標））の用語である。
【００３７】
[0053] マクロセルは概して、比較的大きい地理的エリア（例えば、半径数キロメートル）をカバーし、ネットワークプロバイダにサービス加入しているＵＥによる無制限のアクセスを可能にしうる。スモールセルは、マクロセルと比較すると、マクロセルと同じまたは異なる（例えば、認可された（licensed）、認可されていない（unlicensed）、等の）周波数帯域中で動作しうるより低電力の基地局である。スモールセルは、様々な例にしたがったピコセル、フェムトセル、およびマイクロセルを含みうる。ピコセルは、比較的より小さい地理的エリアをカバーし、ネットワークプロバイダにサービス加入しているＵＥによる無制限のアクセスを可能にしうる。フェムトセルもまた、比較的小さい地理的エリア（例えば、家）をカバーし、フェムトセルとの関連付けを有するＵＥ（例えば、クローズド加入者グループ（ＣＳＧ）中のＵＥ、家の中にいるユーザのためのＵＥ、等）による制限されたアクセスを提供しうる。マクロセルに対するｅＮＢは、マクロｅＮＢと呼ばれうる。スモールセルに対するｅＮＢは、スモールセルｅＮＢ、ピコｅＮＢ、フェムトｅＮＢ、またはホームｅＮＢと呼ばれうる。ｅＮＢは、１つまたは複数（例えば、２つ、３つ、４つ、等）のセル（例えば、コンポーネントキャリア）をサポートしうる。
【００３８】
[0054] ワイヤレス通信システム１００は、同期または非同期動作をサポートしうる。同期動作の場合、基地局は、同様のフレームタイミングを有し、異なる基地局からの送信は、時間で大まかにアラインされうる（approximately aligned in time）。非同期動作の場合、基地局は、異なるフレームタイミングを有し、異なる基地局からの送信は、時間でアラインされないことがありうる。本明細書で説明される技法は、同期または非同期動作のいずれかに対して使用されうる。
【００３９】
[0055] 様々な開示される例のうちのいくつかを取り入れうる（accommodate）通信ネットワークは、レイヤードプロトコルスタックにしたがって動作するパケットベースのネットワークでありうる。ユーザプレーンでは、ベアラまたはパケットデータコンバージェンスプロトコル（ＰＤＣＰ）レイヤにおける通信は、ＩＰベースでありうる。無線リンク制御（ＲＬＣ）レイヤは、論理チャネルを通して通信するために、パケットセグメンテーションおよびリアセンブリを遂行しうる。媒体アクセス制御（ＭＡＣ）レイヤは、優先度処理（priority handling）および論理チャネルのトランスポートチャネルへの多重化を遂行しうる。ＭＡＣレイヤはまた、リンク効率を改善するために、ＭＡＣレイヤにおいて再送信を提供するハイブリッドＡＲＱ（ＨＡＲＱ）を使用しうる。制御プレーンでは、無線リソース制御（ＲＲＣ）プロトコルレイヤは、ユーザプレーンデータのための無線ベアラをサポートするコアネットワーク１３０または基地局１０５とＵＥ１１５との間でのＲＲＣ接続の確立、構成、および維持を提供しうる。物理（ＰＨＹ）レイヤにおいて、トランスポートチャネルは、物理チャネルにマッピングされうる。
【００４０】
[0056] ＵＥ１１５は、ワイヤレス通信システム１００全体にわたって分散されており、各ＵＥ１１５は、固定式または移動式でありうる。ＵＥ１１５はまた、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適した専門用語を含みうるか、または当業者によってそれらで呼ばれうる。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局、等でありうる。ＵＥは、マクロｅＮＢ、スモールセルｅＮＢ、中継基地局、等を含む様々なタイプの基地局およびネットワーク機器と通信することが可能でありうる。
【００４１】
[0057] ワイヤレス通信システム１００中に示される通信リンク１２５は、ＵＥ１１５から基地局１０５へのアップリンク（ＵＬ）送信、および／または基地局１０５からＵＥ１１５へのダウンリンク（ＤＬ）送信を含みうる。ダウンリンク送信はまた、順方向リンク送信と呼ばれ、その一方でアップリンク送信はまた、逆方向リンク送信と呼ばれうる。各通信リンク１２５は、１つまたは複数のキャリアを含み得、ここで、各キャリアは、上述された様々な無線技術にしたがって変調された複数のサブキャリア（例えば、異なる周波数の波形信号）から成る信号でありうる。各変調された信号は、異なるサブキャリア上で送られ、制御情報（例えば、基準信号、制御チャネル、等）、オーバヘッド情報、ユーザデータ、等を搬送しうる。通信リンク１２５は、周波数分割複信（ＦＤＤ）動作を使用して（例えば、対にされたスペクトルリソースを使用して）または時分割複信（ＴＤＤ）動作を使用して（例えば、対にされていないスペクトルリソースを使用して）双方向通信を送信しうる。ＦＤＤについてのフレーム構造（例えば、フレーム構造タイプ１）およびＴＤＤについてのフレーム構造（例えば、フレーム構造タイプ２）が定義されうる。
【００４２】
[0058] ワイヤレス通信システム１００のいくつかの実施形態では、基地局１０５および／またはＵＥ１１５は、基地局１０５とＵＥ１１５との間での通信品質および信頼性を改善するために、アンテナダイバーシティスキームを用いるための複数のアンテナを含みうる。加えてまたは代替として、基地局１０５および／またはＵＥ１１５は、同じまたは異なるコード化されたデータを搬送する複数の空間レイヤを送信するために、マルチパス環境を活用しうる多入力多出力（ＭＩＭＯ）技法を用いうる。
【００４３】
[0059] ワイヤレス通信システム１００は、キャリアアグリゲーション（ＣＡ）またはマルチキャリア動作と呼ばれうる特徴、複数のセルまたはキャリア上での動作をサポートしうる。キャリアはまた、コンポーネントキャリア（ＣＣ）、レイヤ、チャネル、等と呼ばれうる。「キャリア」、「コンポーネントキャリア」、「セル」、および「チャネル」という用語は、本明細書では交換可能に使用されうる。ＵＥ１１５は、キャリアアグリゲーションのための複数のダウンリンクＣＣおよび１つまたは複数のアップリンクＣＣで構成されうる。キャリアアグリゲーションは、ＦＤＤおよびＴＤＤコンポーネントキャリアの両方を用いて使用されうる。
【００４４】
[0060] 上述されたように、様々な例は、レガシシステムより短いシンボル持続時間を有する低レイテンシ通信を利用する、図１のワイヤレス通信システム１００のようなワイヤレス通信システム中での通信を提供する。図２は、本開示の態様にしたがって、図１のワイヤレス通信システム１００のようなワイヤレス通信システム中でのワイヤレス送信のレガシまたは低レイテンシモードを使用して送信されうる無線フレームおよび異なるサブフレームの例を概念的に例示するブロック図２００である。図２の無線フレームは、例えば、アクセスポイントとも呼ばれうる１つまたは複数の基地局１０５と、１つまたは複数のＵＥ１１５との間で、図１を参照して説明されたワイヤレス通信システム１００の一部分を使用して送信されうる。いくつかの例では、レガシ・プライマリ・セル（legacy primary cell）（ＰＣｅｌｌ）送信２１０は、ダウンリンクサブフレーム２２５、特殊サブフレーム２３０、およびアップリンクサブフレーム２３５を含む１０個の１ｍｓのサブフレームを含むＴＤＤフレームを含みうる。ダウンリンクサブフレーム２２５、特殊サブフレーム２３０、およびアップリンクサブフレーム２３５は、確立されたＬＴＥ規格にしたがって定義されたサブフレーム構造を含み得、それは、通常のサイクリックプリフィックスを使用するときに各１ｍｓのサブフレーム内に１４個のレガシシンボルを含みうる。いくつかの例では、ダウンリンクサブフレーム２２５は、ダウンリンク直交周波数分割多重化（ＯＦＤＭ）シンボルを含み、アップリンクサブフレームは、シングルキャリア周波数分割多重化（ＳＣ−ＦＤＭ）シンボルを含み、特殊サブフレーム２３０は、アップリンクＳＣ−ＦＤＭシンボルおよびダウンリンクＯＦＤＭシンボルの両方を含みうる。
【００４５】
[0061] 図２の例では、低レイテンシ送信２２０は、レガシフレーム構造を、ダウンリンクシンボルとアップリンクシンボルとの間での動的切り替えを可能にするＴＤＤベースのフレーム構造に置き換えうるバーストモード送信または低レイテンシ送信を含みうる。いくつかの例では、低レイテンシ送信２２０は、セカンダリ・セル（secondary cell）（ＳＣｅｌｌ）上で送信されうるが、そのような送信構造、ならびに本明細書で説明される様々な技法および原理は、レガシＬＴＥフレームの１つまたは複数のバーストモードサブフレーム内のような他の送信で、他のＰＣｅｌｌ送信で、認可されたまたは認可されていないスペクトル等でインプリメントされうることが理解されるであろう。図２の例では、強化されたコンポーネントキャリア（ｅＣＣ）送信と呼ばれうる低レイテンシ送信２２０は、ダウンリンクシンボル２５０とアップリンクシンボル２５５との間で時間を切り替えることを可能にし（allow for switching time between）うる特殊シンボル２５７、アップリンクシンボル２５５およびダウンリンクシンボル２５０を含みうる。シンボル２５０、２５５、および２５７の各々は、レガシＯＦＤＭまたはＳＣ−ＦＤＭシンボルと比べて低減されたシンボル持続時間を有し、いくつかの例では、有用な８．３３μｓのシンボル持続時間および３．０３μｓのサイクリックプリフィックス持続時間を含む、シンボルあたり１１．３６μｓのシンボル持続時間を有しうる。いくつかの例では、低レイテンシ送信２２０の様々なシンボルは、アップリンクシンボル２５５またはダウンリンクシンボル２５０として指定され得、残りのシンボルが、特定のトラフィックのニーズに基づいて、アップリンクまたはダウンリンクシンボルとして割り振られうるフレキシブルシンボルである。
【００４６】
[0062] 図２の例では、データパケットは、いくつかのダウンリンクシンボル２５０を含みうるデータパケット送信２６０中で送信されうる。ＡＣＫ／ＮＡＣＫ２６５は、いくつかのダウンリンクシンボル２５０の受信に続くデータパケット送信２６０に対して生成されうる。ＡＣＫ／ＮＡＣＫ２６５を生成するために、ＵＥ（例えば、図１のＵＥ１１５）は、各ダウンリンクシンボル２５０中で送信されたデータを復号するために、受信されたダウンリンクシンボル２５０を処理しうる。図２の例では、第１のコーディングスキームは、データパケット送信２６０の第１の部分２７０に対して使用され、第２のコーディングスキームは、データパケット送信２６０の第２の部分２７５に対して使用されうる。ＵＥは、ＡＣＫ／ＮＡＣＫ２６５を生成するために、データパケット送信２６０の第１の部分２７０および第２の部分２７５を処理しえ、それは、データパケット送信２６０の成功裡の受信を確認応答するために、または否定応答を示し、データパケット送信２６０の再送信を開始するために、後続のアップリンクシンボル２５５−ａ中で基地局（例えば、図１の基地局１０５）に送信されうる。データパケット送信２６０の第１の部分２７０および第２の部分２７５は、異なる処理要件に関連付けられうる。
【００４７】
[0063] 上述されたように、いくつかの例では、データパケット送信２６０の第２の部分２７５についての第２のコーディングスキームは、データパケット送信２６０の第１の部分２７０に対して使用されるコードレートまたはブロックサイズと比べて低減されたコードレートまたはブロックサイズを使用しうる。第２のコーディングスキームの低減されたコードレートまたはブロックサイズは、第１のコーディングスキームと比べて低減された処理要件をもたらしうる。いくつかの例では、ＵＥは、データパケット送信２６０の後続のシンボルを受信し続ける間に第１の部分２７０に対して処理を遂行しうる。もし第１のコーディングスキームがデータパケット送信２６０全体に対して使用されるとしたら、処理要件は、ＵＥがアップリンクシンボル２５５−ａ中での送信のために十分な時間中にＡＣＫ／ＮＡＣＫ２６５を確実に生成しないことがありうるようになりかねない。第２のコーディングスキームに関連付けられた、低減された処理要件により（With the reduced processing requirements）、データパケット送信２６０の第２の部分２７５の処理は、データパケット送信２６０の第１の部分２７０の処理より計算的に集約度が低い。このことから、ＵＥは、アップリンクシンボル２５５−ａ中で送信されるように十分な時間中にＡＣＫ／ＮＡＣＫ２６５を生成するために、より素早くデータパケット送信２６０の第２の部分２７５を処理しうる。
【００４８】
[0064] いくつかの例では、第１の部分２７０は、第１の空間スキームを使用し、第２の部分２７５は、第２の空間スキームを使用しうる。例えば、第１の部分２７０は、ダイバーシティ送信を使用し、第２の部分２７５は、プリコーディング送信を使用しうる。さらなる例では、第１の部分２７０および第２の部分２７５は、アンテナポートの異なるセットを使用するスキームを使用しうる。例えば、第１の部分２７０は、より低いランクの送信を使用し、第２の部分２７５は、より高いランクの送信を使用しうる。代替として、いくつかの例では、第１の部分２７０は、より高いランクの送信を使用し、第２の部分２７５は、より低いランクの送信を使用しうる。加えてまたは代替として、第１の部分２７０は、データパケットの第１の部分に対してリソース要素またはトーンの第１のサブセットを使用し、第２の部分２７５は、データパケットの第２の部分に対してリソース要素またはトーンの異なるサブセットを使用しうる。そのような技法は、タイミング／周波数エラーに対して受信のロバストネスを強化しうる。例えば、いくつかの例では、第１の部分２７０は、周波数エラーの強化されたトレランスを提供するために、データを送信するための１つおきの（every other）トーンを使用しうる。
【００４９】
[0065] 上述されたように、第２のコーディングスキームは、第１のコーディングスキームと比べて低減されたコードレートまたは低減されたトランスポートブロックサイズのうちの１つまたは複数を有しうる。他の例では、データパケット送信２６０の第２の部分２７５は、データパケット送信２６０の第１の部分２７０と比べて、ブラインド検出、制御チャネル処理またはチャネル状態情報（ＣＳＩ）計算のうちの１つまたは複数のための低減された要件を有しうる。データパケット送信２６０に関連付けられたＡＣＫ／ＮＡＣＫ２６５は、単一のＡＣＫ／ＮＡＣＫとして論述されるが、そのようなＡＣＫ／ＮＡＣＫ２６５は、データパケット送信２６０の第１の部分２７０および第２の部分２７５に関連付けられた複数の確認応答を含みうる。いくつかの例では、基地局は、各コーディングスキームに関連付けられたシンボルの数、および第１および第２のコーディングスキームを示すＵＥへのシグナリングを提供しうる。そのようなシグナリングは、例えば、ほんの数例を挙げると、ダウンリンク送信に関連付けられたダウンリンク制御情報（ＤＣＩ）中で、パケットヘッダ中で、または無線リソース制御（ＲＲＣ）シグナリングを介して、制御チャネル送信中で提供されうる。
【００５０】
[0066] ここで図３を参照すると、低レイテンシ送信の例を概念的に例示するブロック図３００が論述される。図３の低レイテンシ送信３２０は、例えば、１つまたは複数の基地局１０５と１つまたは複数のＵＥ１１５との間で、図１を参照して説明されたワイヤレス通信システム１００の一部分を使用して送信されうる。図２に関して上述されたのと同様に、低レイテンシ送信３２０は、ダウンリンクシンボル３５０とアップリンクシンボル３５５との間で時間を切り替えることを可能にしうる特殊シンボル３５７、アップリンクシンボル３５５およびダウンリンクシンボル３５０を含みうる。シンボル３５０、３５５、および３５７の各々は、上述されたように、レガシＯＦＤＭまたはＳＣ−ＦＤＭシンボルと比べて低減されたシンボル持続時間を有しうる。図３の例では、データパケットは、いくつかのダウンリンクシンボル３５０を含みうるデータパケット送信３６０中で送信されうる。ＡＣＫ／ＮＡＣＫ３６５は、いくつかのダウンリンクシンボル３５０の受信に続くデータパケット送信３６０に対して生成されうる。ＡＣＫ／ＮＡＣＫ３６５を生成するために、ＵＥ（例えば、図１のＵＥ１１５）は、各ダウンリンクシンボル３５０中で送信されたデータを復号するために、受信されたダウンリンクシンボル３５０を処理しうる。
【００５１】
[0067] 図３の例では、ペイロードデータは、データパケット送信３６０の第１の部分３７０中に含まれ、非ペイロードデータは、データパケット送信３６０の第２の部分３７５中に含まれうる。ＵＥは、ＡＣＫ／ＮＡＣＫ３６５を生成するために、データパケット送信３６０の第１の部分３７０および第２の部分３７５を処理しえ、それは、データパケット送信３６０の成功裡の受信を確認応答するために、または否定応答を示し、データパケット送信３６０の再送信を開始するために、後続のアップリンクシンボル３５５−ａ中で基地局（例えば、図１の基地局１０５）に送信されうる。ペイロードデータに関してＡＣＫ／ＮＡＣＫ３６５を生成するために必要とされる処理は、いくつかの例では、非ペイロードデータのために必要とされる処理より有意であり、このことから、ＡＣＫ／ＮＡＣＫ３６５は、ペイロードデータがデータパケット送信３６０の第２の部分３７５、すなわち末尾部分中に含まれた場合より、より素早く生成されうる。ＡＣＫ／ＮＡＣＫ３６５を生成するために必要とされる時間の相対速度は、より素早くＡＣＫ／ＮＡＣＫ３６５の送信を可能にしえ、このことから、データパケット送信３６０に関連付けられたレイテンシを低減しうる。
【００５２】
[0068] ここで図４を参照すると、低レイテンシ送信の別の例を概念的に例示するブロック図４００が論述される。図４の低レイテンシ送信４２０は、例えば、１つまたは複数の基地局１０５と１つまたは複数のＵＥ１１５との間で、図１を参照して説明されたワイヤレス通信システム１００の一部分を使用して送信されうる。図２および３に関して上述されたのと同様に、低レイテンシ送信４２０は、ダウンリンクシンボル４５０とアップリンクシンボル４５５との間で時間を切り替えることを可能にしうる特殊シンボル４５７、アップリンクシンボル４５５、およびダウンリンクシンボル４５０を含みうる。シンボル４５０、４５５、および４５７の各々は、上述されたように、レガシＯＦＤＭまたはＳＣ−ＦＤＭシンボルと比べて低減されたシンボル持続時間を有しうる。図４の例では、データパケットは、いくつかのダウンリンクシンボル４５０を含みうるデータパケット送信４６０中で送信されうる。ＡＣＫ／ＮＡＣＫ４６５は、いくつかのダウンリンクシンボル４５０の受信に続くデータパケット送信４６０に対して生成されうる。ＡＣＫ／ＮＡＣＫ４６５を生成するために、ＵＥ（例えば、図１のＵＥ１１５）は、各ダウンリンクシンボル４５０中で送信されたデータを復号するために、受信されたダウンリンクシンボル４５０を処理しうる。
【００５３】
[0069] 図４の例では、データパケット送信４６０の第１の部分４７０は、第１のコーディングスキームを使用し、データパケット送信４６０の第２の部分４７５は、第２のコーディングスキームを使用し、データパケット送信４６０の第３の部分４８０は、第３のコーディングスキームを使用しうる。ＵＥは、ＡＣＫ／ＮＡＣＫ４６５を生成するために、データパケット送信４６０の第１の部分４７０、第２の部分４７５、および第３の部分４８０を処理しえ、ＡＣＫ／ＮＡＣＫ４６５は、データパケット送信４６０の成功裡の受信を確認応答するために、または否定応答を示し、データパケット送信４６０の再送信を開始するために、後続のアップリンクシンボル４５５−ａ中で基地局（例えば、図１の基地局１０５）に送信されうる。
【００５４】
[0070] いくつかの例では、データパケット送信４６０の第２の部分４７５についての第２のコーディングスキームは、データパケット送信４６０の第１の部分４７０に対して使用されるコードレートまたはブロックサイズと比べて低減されたコードレートまたはブロックサイズを使用し、データパケット送信４６０の第３の部分４８０についての第３のコーディングスキームは、第１の部分４７０および第２の部分４７５に対して使用されるコードレートまたはブロックサイズと比べてさらに低減されたコードレートまたはブロックサイズを使用しうる。第２および第３のコーディングスキームの低減されたコードレートまたはブロックサイズは、第１のコーディングスキームと比べて低減された処理要件をもたらし、ＡＣＫ／ＮＡＣＫ４６５を生成するための低減された時間をＵＥに対して提供しうる。第２および第３のコーディングスキームに関連付けられた、低減された処理要件により、データパケット送信４６０の第２の部分４７５および第３の部分４８０の処理は、データパケット送信４６０の第１の部分４７０の処理より計算的に集約度が低い。このことから、ＵＥは、アップリンクシンボル４５５−ａ中で送信されるように十分な時間中にＡＣＫ／ＮＡＣＫ４６５を生成するために、より素早くデータパケット送信４６０を処理しうる。
【００５５】
[0071] いくつかの例では、第１および第３のコーディングスキームは、第２のコーディングスキームと比べて低減されたコードレートまたはブロックサイズを提供しうる。そのような例では、第１のコーディングスキームの低減されたコードレートまたは低減されたトランスポートブロックサイズは、低減された処理時間を可能にし、ＵＥが、ダウンリンク通信のために使用されるワイヤレス通信チャネルに対するチャネル推定を強化することを可能にしうる。強化されたチャネル推定は、第２の部分４７５および第３の部分４８０中に（during）、より効率的に後の送信を受信および復号するために使用されうる。最後に、上述されたのと同様に、第３のコーディングスキームは、関連するダウンリンクシンボルのより速い処理を可能にし、低減されたレイテンシのためのＡＣＫ／ＮＡＣＫ４６５のより速い送信を可能にしうる。
【００５６】
[0072] ここで図５を参照すると、低レイテンシ送信の別の例を概念的に例示するブロック図５００が論述される。図５の低レイテンシ送信５２０は、例えば、１つまたは複数の基地局１０５と１つまたは複数のＵＥ１１５との間で、図１を参照して説明されたワイヤレス通信システム１００の一部分を使用して送信されうる。図２、３および４に関して上述されたのと同様に、低レイテンシ送信５２０は、ダウンリンクシンボル５５０とアップリンクシンボル５５５との間で時間を切り替えることを可能にしうる特殊シンボル５５７、アップリンクシンボル５５５、およびダウンリンクシンボル５５０を含みうる。シンボル５５０、５５５、および５５７の各々は、上述されたように、レガシＯＦＤＭまたはＳＣ−ＦＤＭシンボルと比べて低減されたシンボル持続時間を有しうる。
【００５７】
[0073] 図５の例では、低レイテンシ送信５２０の第１の部分５６５は、第１のコーディングスキームを使用し、低レイテンシ送信５２０の第２の部分５７０は、第２のコーディングスキームを使用しうる。いくつかの例では、第１の部分５６５についての第１のコーディングスキームは、第２の部分５７０に対して使用されるコードレートまたはブロックサイズと比べて低減されたコードレートまたはブロックサイズを使用しうる。第１のコーディングスキームの低減されたコードレートまたはブロックサイズは、第１の部分５６５を成功裡に復号するより高い可能性を提供し、第１の部分５６５は、強化されたチャネル推定情報５８０を提供するために使用され、そのような強化されたチャネル推定は、第２の部分５７０の第２のコードレートまたはブロックサイズをサポートするために使用されうる。
【００５８】
[0074] ここで図６を参照すると、低レイテンシ送信の例を概念的に例示するブロック図６００が論述される。図６の低レイテンシ送信６２０は、例えば、１つまたは複数の基地局１０５と１つまたは複数のＵＥ１１５との間で、図１を参照して説明されたワイヤレス通信システム１００の一部分を使用して送信されうる。図２−５に関して上述されたのと同様に、低レイテンシ送信６２０は、ダウンリンクシンボル６５０とアップリンクシンボル６５５との間で時間を切り替えることを可能にしうる特殊シンボル６５７、アップリンクシンボル６５５およびダウンリンクシンボル６５０を含みうる。シンボル６５０、６５５、および６５７の各々は、上述されたように、レガシＯＦＤＭまたはＳＣ−ＦＤＭシンボルと比べて低減されたシンボル持続時間を有しうる。図６の例では、データパケットは、いくつかのダウンリンクシンボル６５０を含みうるデータパケット送信６６０中で送信されうる。ＡＣＫ／ＮＡＣＫ６７５は、いくつかのダウンリンクシンボル６５０の受信に続くデータパケット送信６６０に対して生成されうる。ＡＣＫ／ＮＡＣＫ６７５を生成するために、ＵＥ（例えば、図１のＵＥ１１５）は、各ダウンリンクシンボル６５０中で送信されたデータを復号するために、受信されたダウンリンクシンボル６５０を処理しうる。
【００５９】
[0075] 図６の例では、非ペイロードデータは、低レイテンシ送信６２０の第１の部分６６５中に含まれ、ペイロードデータは、低レイテンシ送信６２０の第２の部分６７０中に含まれうる。ＵＥは、上述されたのと同様に、データの受信の確認応答を生成するために、第１の部分６６５および第２の部分６７０を処理しえ、確認応答は、低レイテンシ送信６２０中でのデータの成功裡の受信を確認応答するために、または否定応答を示し、再送信を開始するために、アップリンクシンボル６５５中で基地局（例えば、図１の基地局１０５）に送信されうる。図５に関して上述されたのと同様に、ＵＥによって受信される初期ダウンリンク送信は、正確なチャネル推定が欠如していることがありえ、低レイテンシ送信６２０の先頭部分すなわち第１の部分６６５は、より計算的に集約的な処理を必要としうるか、または復号するためにより長い時間がかかりうる。
【００６０】
[0076] 第１の部分６６５中で非ペイロード関連情報を送信することによって、このデータの処理要件は、低減され、ＵＥが、より正確なチャネル推定情報６８０を計算することを可能にしえ、それは次に、第２の部分６７０中で受信されるシンボルについての処理要件および処理時間を低減しうる。またさらなる例では、図５に関して上述されたのと同様に、データの受信およびＡＣＫ／ＮＡＣＫ情報の生成をより素早く強化するために、技法の組み合わせが使用されえ、その中では、チャネル推定値が、送信の先頭部分中で改善され、処理要件が、送信の末尾部分中で低減されうる。
【００６１】
[0077] 図７は、本開示の様々な態様にしたがって、ワイヤレス通信で使用するためのデバイス７０５のブロック図７００を示す。デバイス７０５は、図１を参照して説明されたＵＥ１１５の１つまたは複数の態様の例でありうる。デバイス７０５は、受信機モジュール７１０、受信処理モジュール７１５、および／または送信機モジュール７２０を含みうる。デバイス７０５はまた、プロセッサでありうるか、またはそれを含みうる（図示せず）。これらのモジュールの各々は、互いと通信中でありうる。
【００６２】
[0078] デバイス７０５のコンポーネントは、個々にまたは集合的に、ハードウェア中で適用可能な機能のうちのいくつかまたは全てを遂行するように適合された１つまたは複数の特定用途向け集積回路（ＡＳＩＣ）を使用してインプリメントされうる。代替として、機能は、１つまたは複数の集積回路上で、１つまたは複数の他の処理ユニット（あるいはコア）によって遂行されうる。他の例では、他のタイプの集積回路（例えば、ストラクチャード／プラットフォームＡＳＩＣ、フィールドプログラマブルゲートアレイ（ＦＰＧＡ）、および他のセミカスタムＩＣ）が使用されえ、それらは、当該技術において知られている任意の方式でプログラムされうる。各モジュールの機能はまた、全体的にあるいは部分的に、１つまたは複数の汎用あるいは特定用途向けプロセッサによって実行されるようにフォーマットされた、メモリ中で具現化された命令によりインプリメントされうる。
【００６３】
[0079] 受信機７１０は、様々な情報チャネル（例えば、制御チャネル、データチャネル、等）に関連付けられた、パケット、ユーザデータ、および／または制御情報のような情報を受信しうる。受信機モジュール７１０は、ダウンリンク送信のスケジュールされた許可をプリエンプトする（preempting）ための制御信号と、そのような制御信号がモニタされるべきかどうか、またはそのようなモニタリングがいつ遂行されるべきかを示しうる他の信号とを受信するように構成されうる。情報は、受信処理モジュール７１５、およびデバイス７０５の他のコンポーネントに伝えられうる。
【００６４】
[0080] 受信処理モジュール７１５は、図２−６に関して上述されたような、ダウンリンク送信の異なる部分に対して使用されるコーディングスキームを決定することと、受信されるデータに対して受信および復号機能を遂行することと、またチャネル推定機能を遂行しうることとを行うように構成されうる。送信機モジュール７２０は、デバイス７０５の他のコンポーネントから受信された１つまたは複数の信号を送信しうる。送信機モジュール７２０は、例えば、アップリンクデータを送信しうる。いくつかの例では、送信機モジュール７２０は、トランシーバモジュール中で受信機モジュール７１０とコロケートされうる。受信機モジュール７１０および送信機モジュール７２０は、図９を参照して説明されるトランシーバモジュール９３５の態様を例示しうる。
【００６５】
[0081] 図８は、様々な例にしたがって、ワイヤレス通信で使用するためのデバイス７０５−ａのブロック図８００を示す。デバイス７０５−ａは、図１を参照して説明されたＵＥ１１５の１つまたは複数の態様の例でありうる。それはまた、図７を参照して説明されたデバイス７０５の例でありうる。デバイス７０５−ａは、受信機モジュール７１０−ａ、受信処理モジュール７１５−ａ、および／または送信機モジュール７２０−ａを含みえ、それらは、デバイス７０５の対応するモジュールの例でありうる。デバイス７０５−ａはまた、プロセッサを含みうる（図示せず）。これらのコンポーネントの各々は、互いと通信中でありうる。受信処理モジュール７１５−ａは、コーディングスキーム決定モジュール８０５、ＡＣＫ／ＮＡＣＫ処理モジュール８１０、およびチャネル推定モジュール８１５を含みうる。受信機モジュール７１０−ａおよび送信機モジュール７２０−ａは、それぞれ、図７の受信機モジュール７１０および送信機モジュール７２０の機能を遂行しうる。受信機モジュール７１０−ａおよび送信機モジュール７２０−ａは、図９を参照して説明されるトランシーバモジュール９３５の態様を例示しうる。
【００６６】
[0082] コーディングスキーム決定モジュール８０５は、図２−６に関して上述されたような、ダウンリンク送信の様々な異なる部分、またはダウンリンク送信に対して使用されるコーディングスキームを決定することを行いうる。ＡＣＫ／ＮＡＣＫ処理モジュール８１０は、図２−６に関して上述されたのと同様の方法で、受信されたシンボルを処理し、受信されたシンボルに関連付けられたＡＣＫ／ＮＡＣＫ情報を生成しうる。チャネル推定モジュール８１５は、図２−６に関して上述されたのと同様の方法で、受信される送信の受信および復号を強化するために使用されうるチャネル推定動作を遂行しうる。
【００６７】
[0083] 図９は、様々な例にしたがって、ワイヤレス通信で使用するためのシステム９００を示す。システム９００は、ＵＥ１１５−ａを含みえ、それは、図１のＵＥ１１５の例でありうる。ＵＥ１１５−ａはまた、図７および８のデバイス７０５の１つまたは複数の態様の例でありうる。
【００６８】
[0084] ＵＥ１１５−ａは概して、通信を送信するためのコンポーネントおよび通信を受信するためのコンポーネントを含む、双方向の音声およびデータ通信のためのコンポーネントを含みうる。ＵＥ１１５−ａは、（１つまたは複数の）アンテナ９４０、トランシーバモジュール９３５、プロセッサモジュール９０５、および（ソフトウェア（ＳＷ）９２０を含む）メモリ９１５を含みえ、それらは各々、（例えば、１つまたは複数のバス９４５を介して）互いと直接的または間接的に通信しうる。トランシーバモジュール９３５は、上述されたように、１つまたは複数のネットワークと、（１つまたは複数の）アンテナ９４０および／または１つまたは複数のワイヤードあるいはワイヤレスリンクを介して、双方向に通信するように構成されうる。例えば、トランシーバモジュール９３５は、図１に関連する基地局１０５と双方向に通信するように構成されうる。トランシーバモジュール９３５は、パケットを変調し、変調されたパケットを送信のために（１つまたは複数の）アンテナ９４０に提供し、（１つまたは複数の）アンテナ９４０から受信されたパケットを復調するように構成されたモデムを含みうる。ＵＥ１１５−ａは、単一のアンテナ９４０を含みうるが、ＵＥ１１５−ａは、複数のワイヤレス送信を同時に送信および／または受信することが可能な複数のアンテナ９４０を有しうる。トランシーバモジュール９３５は、１つまたは複数の基地局１０５と複数のコンポーネントキャリアを介して同時に通信することが可能でありうる。
【００６９】
[0085] ＵＥ１１５−ａは、受信処理モジュール７１５−ｂを含みえ、それは、図７および８のデバイス７０５の受信処理モジュール７１５に関して上述された機能を遂行しうる。受信処理モジュール７１５−ｂは、図２−６に関して上述されたのと同様の方法で機能を遂行しうる。
【００７０】
[0086] メモリ９１５は、ランダムアクセスメモリ（ＲＡＭ）および読取専用メモリ（ＲＯＭ）を含みうる。メモリ９１５は、実行されると、プロセッサモジュール９０５に、本明細書で説明された様々な機能（例えば、可変ＴＴＩスケジューリング、許可のプリエンプションの決定、等）を遂行させるように構成された命令を含む、コンピュータ可読、コンピュータ実行可能ソフトウェア／ファームウェアコード９２０を記憶しうる。代替として、コンピュータ可読、コンピュータ実行可能ソフトウェア／ファームウェアコード９２０は、プロセッサモジュール９０５によって直接実行可能でないことがありうるが、（例えば、コンパイルおよび実行されると）コンピュータに、本明細書で説明された機能を遂行させるように構成されうる。プロセッサモジュール９０５は、インテリジェントハードウェアデバイス、例えば、中央処理ユニット（ＣＰＵ）、マイクロコントローラ、特定用途向け集積回路（ＡＳＩＣ）、等を含みうる。
【００７１】
[0087] 図１０は、本開示の様々な態様にしたがって、ワイヤレス通信で使用するための装置１００５のブロック図１０００を示す。いくつかの例では、装置１００５は、図１を参照して説明された基地局１０５のうちの１つまたは複数の態様の例でありうる。いくつかの例では、装置１００５は、ＬＴＥ／ＬＴＥ−Ａ ｅＮＢおよび／またはＬＴＥ／ＬＴＥ−Ａ基地局の一部でありうるか、またはそれらを含みうる。装置１００５はまた、プロセッサでありうる。装置１００５は、受信機モジュール１０１０、送信管理モジュール１０１５、および／または送信機モジュール１０２０を含みうる。これらのモジュールの各々は、互いと通信中でありうる。
【００７２】
[0088] 装置１００５のコンポーネントは、個々にまたは集合的に、ハードウェア中で適用可能な機能のうちのいくつかまたは全てを遂行するように適合された１つまたは複数のＡＳＩＣを使用してインプリメントされうる。代替として、機能は、１つまたは複数の集積回路上で、１つまたは複数の他の処理ユニット（あるいはコア）によって遂行されうる。他の例では、他のタイプの集積回路（例えば、ストラクチャード／プラットフォームＡＳＩＣ、ＦＰＧＡ、および他のセミカスタムＩＣ）が使用されえ、それらは、当該技術において知られている任意の方式でプログラムされうる。各コンポーネントの機能はまた、全体的にあるいは部分的に、１つまたは複数の汎用あるいは特定用途向けプロセッサによって実行されるようにフォーマットされた、メモリ中で具現化された命令によりインプリメントされうる。
【００７３】
[0089] いくつかの例では、受信機モジュール１０１０は、アップリンク送信に対して動作可能な無線周波数（ＲＦ）受信機のような少なくとも１つのＲＦ受信機を含みうる。受信機モジュール１０１０は、図１を参照して説明されたワイヤレス通信システム１００の１つまたは複数の通信リンクのようなワイヤレス通信システムの１つまたは複数の通信リンクを通して様々なタイプのデータおよび／または制御信号（すなわち、送信）を受信するために使用されうる。
【００７４】
[0090] いくつかの例では、送信機モジュール１０２０は、アップリンクおよびダウンリンクリソースのスケジューリング許可と、現在スケジュールされている許可がプリエンプトされるべきであることを示しうる制御信号とを送信するように動作可能な少なくとも１つのＲＦ送信機のような少なくとも１つのＲＦ送信機を含みうる。送信機モジュール１０２０は、図１を参照して説明されたワイヤレス通信システム１００の１つまたは複数の通信リンクのようなワイヤレス通信システムの１つまたは複数の通信リンクを通して様々なタイプのデータおよび／または制御信号（すなわち、送信）を送信するために使用されうる。受信機モジュール１０１０および送信機モジュール１０２０は、図１２を参照して説明されるトランシーバモジュール１２５０の態様を例示しうる。
【００７５】
[0091] いくつかの例では、送信管理モジュール１０１５は、図２−６に関して上述されたような、受信機にデータパケット中で送信されるべきデータを識別することと、データをコーディングするための２つ以上のコーディングスキームを識別することと、データパケット内のデータの他の部分より低い処理要件を有するフロントまたはエンド部分のうちの１つまたは両方についてのコーディングスキームを用いてデータパケット内のデータのフロントおよびエンド部分を識別することとを行うように構成されうる。送信管理モジュール１０１５は、１つまたは複数のＵＥへの送信のために、データおよびコーディングスキームを送信機モジュール１０２０に提供しうる。
【００７６】
[0092] 図１１は、本開示の様々な態様にしたがって、ワイヤレス通信で使用するための装置１００５−ａのブロック図１１００を示す。いくつかの例では、装置１００５−ａは、図１を参照して説明された基地局１０５のうちの１つまたは複数の態様の例、および／または、図１０を参照して説明された装置１００５の態様の例でありうる。いくつかの例では、装置１００５−ａは、ｅＣＣを送信するように構成されたＬＴＥ／ＬＴＥ−Ａ ｅＮＢおよび／またはＬＴＥ／ＬＴＥ−Ａ基地局の一部でありうるか、またはそれらを含みうる。装置１００５−ａはまた、プロセッサでありうる。装置１００５−ａは、受信機モジュール１０１０−ａ、送信管理モジュール１０１５−ａ、および／または送信機モジュール１０２０−ａを含みうる。これらのモジュールの各々は、互いと通信中でありうる。
【００７７】
[0093] 装置１００５−ａのコンポーネントは、個々にまたは集合的に、ハードウェア中で適用可能な機能のうちのいくつかまたは全てを遂行するように適合された１つまたは複数のＡＳＩＣを使用してインプリメントされうる。代替として、機能は、１つまたは複数の集積回路上で、１つまたは複数の他の処理ユニット（あるいはコア）によって遂行されうる。他の例では、他のタイプの集積回路（例えば、ストラクチャード／プラットフォームＡＳＩＣ、ＦＰＧＡ、および他のセミカスタムＩＣ）が使用されえ、それらは、当該技術において知られている任意の方式でプログラムされうる。各コンポーネントの機能はまた、全体的にあるいは部分的に、１つまたは複数の汎用あるいは特定用途向けプロセッサによって実行されるようにフォーマットされた、メモリ中で具現化された命令によりインプリメントされうる。
【００７８】
[0094] いくつかの例では、受信機モジュール１０１０−ａは、図１０を参照して説明された受信機モジュール１０１０の１つまたは複数の態様の例でありうる。いくつかの例では、受信機モジュール１０１０−ａは、ＵＥからの送信のアップリンクシンボル中で送信されたデータおよびアップリンク送信を受信するように動作可能な少なくとも１つの無線周波数（ＲＦ）受信機のような少なくとも１つのＲＦ受信機を含みうる。受信機モジュール１０１０−ａは、図１を参照して説明されたワイヤレス通信システム１００の１つまたは複数の通信リンクのようなワイヤレス通信システムの１つまたは複数の通信リンクを通して様々なタイプのデータおよび／または制御信号（すなわち、送信）を受信するために使用されうる。
【００７９】
[0095] いくつかの例では、送信機モジュール１０２０−ａは、図１０を参照して説明された送信機モジュール１０２０の１つまたは複数の態様の例でありうる。いくつかの例では、送信機モジュール１０２０−ａは、アップリンクおよびダウンリンクリソースの許可と、スケジュールされた許可の異なる部分に対して使用されるコーディングスキームをシグナリングするための制御信号と、他の制御情報（例えば、ＲＲＣ、ＳＩＢ、またはＰＤＣＣＨシグナリング、等）とを送信するように動作可能な少なくとも１つのＲＦ送信機のような少なくとも１つのＲＦ送信機を含みうる。送信機モジュール１０２０−ａは、図１を参照して説明されたワイヤレス通信システム１００の１つまたは複数の通信リンクのようなワイヤレス通信システムの１つまたは複数の通信リンクを通して様々なタイプのデータおよび／または制御信号（すなわち、送信）を送信するために使用されうる。
【００８０】
[0096] 送信管理モジュール１０１５−ａは、ＡＣＫ／ＮＡＣＫモジュール１１０５、コーディングスキーム決定モジュール１１１０、およびコーディングスキームシグナリングモジュール１１１５を含みうる。受信機モジュール１０１０−ａおよび送信機モジュール１０２０−ａは、それぞれ、図１０の受信機モジュール１０１０および送信機モジュール１０２０の機能を遂行しうる。受信機モジュール１０１０−ａおよび送信機モジュール１０２０−ａは、図１２を参照して説明される（１つまたは複数の）トランシーバモジュール１２５０の態様を例示しうる。
【００８１】
[0097] ＡＣＫ／ＮＡＣＫモジュール１１０５は、図２−６に関して上述されたような、受信されたデータを処理して、データが成功裡に受信および復号されたかどうかを決定し得、およびデータの受信を確認応答するために、基地局への送信についてのフィードバックを生成しうる。いくつかの例では、ＡＣＫ／ＮＡＣＫモジュール１１０５は、受信されたデータに対してＨＡＲＱ機能を遂行し、関連するＡＣＫ／ＮＡＣＫ送信を基地局に送信しうる。コーディングスキーム決定モジュール１１１０は、図２−６に関して上述されたのと同様の方法で、送信の２つ以上の異なる部分に対して使用されるべきコーディングスキームを決定しうる。コーディングスキームシグナリングモジュール１１１５は、図２−６に関して上述されたのと同様の方法で、異なるコーディングスキームを、データ送信を受信するべきである１つまたは複数のＵＥにシグナリングしうる。いくつかの例では、シグナリングは、ほんの数例ながら挙げると、ＲＲＣシグナリング中、ＳＩＢ中、またはＰＤＣＣＨシグナリング中で、ダウンリンク許可を提供されうる。
【００８２】
[0098] 図１２は、本開示の様々な態様にしたがって、ワイヤレス通信で使用するための基地局１０５−ａ（例えば、ｅＮＢの一部または全てを形成する基地局）のブロック図１２００を示す。いくつかの例では、基地局１０５−ａは、図１を参照して説明された基地局１０５のうちの１つまたは複数の態様、および／または、図１０および／または１１を参照して説明された、基地局として構成されたときの装置１００５のうちの１つまたは複数の態様の例でありうる。基地局１０５−ａは、図２−６を参照して説明された、基地局および／または装置の特徴および機能のうちの少なくともいくつかをインプリメントまたは容易にするように構成されうる。
【００８３】
[0099] 基地局１０５−ａは、基地局プロセッサモジュール１２１０、基地局メモリモジュール１２２０、（（１つまたは複数の）基地局トランシーバモジュール１２５０によって表されている）少なくとも１つの基地局トランシーバモジュール、（（１つまたは複数の）基地局アンテナ１２５５によって表されている）少なくとも１つの基地局アンテナ、および／または送信管理モジュール１０１５−ｂを含みうる。基地局１０５−ａはまた、基地局通信モジュール１２３０および／またはネットワーク通信モジュール１２４０のうちの１つまたは複数を含みうる。これらのモジュールの各々は、１つまたは複数のバス１２３５を通して、直接的または間接的に、互いと通信中でありうる。
【００８４】
[0100] 基地局メモリモジュール１２２０は、ランダムアクセスメモリ（ＲＡＭ）および／または読取専用メモリ（ＲＯＭ）を含みうる。基地局メモリモジュール１２２０は、実行されると、基地局プロセッサモジュール１２１０に、ワイヤレス通信に関連して本明細書で説明された様々な機能（例えば、コーディングスキーム決定、異なるコーディングスキームを使用するデータの送信、コーディングスキームのシグナリング、等）を遂行させるように構成された命令を含む、コンピュータ可読、コンピュータ実行可能ソフトウェア／ファームウェアコード１２２５を記憶しうる。代替として、コンピュータ可読、コンピュータ実行可能ソフトウェア／ファームウェアコード１２２５は、基地局プロセッサモジュール１２１０によって直接的に実行可能でないことがありうるが、（例えば、コンパイルおよび実行されたとき）基地局１０５に、本明細書で説明された様々な機能を遂行させるように構成されうる。
【００８５】
[0101] 基地局プロセッサモジュール１２１０は、インテリジェントハードウェアデバイス、例えば、中央処理ユニット（ＣＰＵ）、マイクロコントローラ、ＡＳＩＣ、等を含みうる。基地局プロセッサモジュール１２１０は、（１つまたは複数の）基地局トランシーバモジュール１２５０、基地局通信モジュール１２３０、および／またはネットワーク通信モジュール１２４０を通じて受信された情報を処理しうる。基地局プロセッサモジュール１２１０はまた、（１つまたは複数の）アンテナ１２５５を通じた送信のために（１つまたは複数の）トランシーバモジュール１２５０に、１つまたは複数の他の基地局１０５−ｂおよび１０５−ｃへの送信のために基地局通信モジュール１２３０に、および／またはコアネットワーク１２４５への送信のためにネットワーク通信モジュール１２４０に送られるべき情報を処理しえ、コアネットワーク１２４５は、図１を参照して説明されたコアネットワーク１３０の１つまたは複数の態様の例でありうる。基地局プロセッサモジュール１２１０は、単独でまたは送信管理モジュール１０１５−ｂとともに、本明細書で論述された送信のコーディングの様々な態様を扱いうる。
【００８６】
[0102] （１つまたは複数の）基地局トランシーバモジュール１２５０は、パケットを変調し、変調されたパケットを送信のために（１つまたは複数の）基地局アンテナ１２５５に提供し、（１つまたは複数の）基地局アンテナ１２５５から受信されたパケットを復調するように構成されたモデムを含みうる。（１つまたは複数の）基地局トランシーバモジュール１２５０は、いくつかの例では、１つまたは複数の基地局送信機モジュールおよび１つまたは複数の別個の基地局受信機モジュールとしてインプリメントされうる。（１つまたは複数の）基地局トランシーバモジュール１２５０は、第１の無線周波数スペクトル帯域および／または第２の無線周波数スペクトル帯域中での通信をサポートしうる。（１つまたは複数の）基地局トランシーバモジュール１２５０は、（１つまたは複数の）アンテナ１２５５を介して、図１および／または９を参照して説明されたＵＥ１１５のうちの１つまたは複数のような１つまたは複数のＵＥあるいは装置と双方向に通信するように構成されうる。基地局１０５−ａは、例えば、複数の基地局アンテナ１２５５（例えば、アンテナアレイ）を含みうる。基地局１０５−ａは、ネットワーク通信モジュール１２４０を通じてコアネットワーク１２４５と通信しうる。基地局１０５−ａはまた、基地局通信モジュール１２３０を使用して基地局１０５−ｂおよび１０５−ｃのような他の基地局と通信しうる。
【００８７】
[0103] 送信管理モジュール１０１５−ｂは、送信の異なる部分についてのコーディングスキームの決定、コーディングスキーム情報のシグナリング、等に関連する、図２−６を参照して説明された特徴および／または機能のうちのいくつかまたは全てを遂行および／または制御するように構成されうる。送信管理モジュール１０１５−ｂ、または送信管理モジュール１０１５−ｂの一部分は、プロセッサを含み、および／または、送信管理モジュール１０１５−ｂの機能のうちのいくつかまたは全ては、基地局プロセッサモジュール１２１０によっておよび／または基地局プロセッサモジュール１２１０とともに遂行されうる。いくつかの例では、送信管理モジュール１０１５−ｂは、図１０および／または１１を参照して説明された送信管理モジュール１０１５および／または１０１５−ａの例でありうる。
【００８８】
[0104] 図１３は、基地局１０５−ｄおよびＵＥ１１５−ｂを含む多入力／多出力（ＭＩＭＯ）通信システム１３００のブロック図である。ＭＩＭＯシステム１３００は、図１中に示されたワイヤレス通信システム１００の態様を例示しうる。基地局１０５−ｄは、アンテナ１３３４−ａ〜１３３４−ｘを装備され、ＵＥ１１５−ｂは、アンテナ１３５２−ａ〜１３５２−ｎを装備されうる。ＭＩＭＯ通信システム１３００では、基地局１０５−ｄは、データを複数の通信リンクを通して同時に送ることが可能でありうる。各通信リンクは、「レイヤ」と呼ばれ、通信リンクの「ランク」は、通信のために使用されるレイヤの数を示しうる。例えば、基地局１０５−ｄが２つの「レイヤ」を送信する２×２ＭＩＭＯ通信システムでは、基地局１０５−ｄとＵＥ１１５−ｂとの間の通信リンクのランクは、２である。
【００８９】
[0105] 基地局１０５−ｄにおいて、送信プロセッサ１３２０は、データソースからデータを受信しうる。送信プロセッサ１３２０は、データを処理しうる。送信プロセッサ１３２０はまた、制御シンボルおよび／または基準シンボルを生成しうる。送信（ＴＸ）ＭＩＭＯプロセッサ１３３０は、適用可能な場合、データシンボル、制御シンボル、および／または基準シンボルに対して空間処理（例えば、プリコーディング）を遂行し、出力シンボルストリームを変調器／復調器１３３２−ａ〜１３３２−ｘに提供しうる。各変調器／復調器１３３２は、出力サンプルストリームを取得するために、（例えば、ＯＦＤＭ、等のために）それぞれの出力シンボルストリームを処理しうる。各変調器／復調器１３３２はさらに、ＤＬ信号を取得するために、出力サンプルストリームを処理（例えば、アナログに変換、増幅、フィルタ、およびアップコンバート）しうる。一例では、変調器／復調器１３３２−ａ〜１３３２−ｘからのＤＬ信号は、それぞれ、アンテナ１３３４−ａ〜１３３４−ｘを介して送信されうる。
【００９０】
[0106] ＵＥ１１５−ｂにおいて、アンテナ１３５２−ａ〜１３５２−ｎは、基地局１０５−ｄからＤＬ信号を受信し、それぞれ、受信された信号を復調器１３５４−ａ〜１３５４−ｎに提供しうる。各復調器１３５４は、入力サンプルを取得するために、それぞれの受信された信号を調整（例えば、フィルタリング、増幅、ダウンコンバート、およびデジタル化）しうる。各復調器１３５４はさらに、受信されたシンボルを取得するために、（例えば、ＯＦＤＭ、等のために）入力サンプルを処理しうる。ＭＩＭＯ検出器１３５６は、全ての復調器１３５４ａ〜１３５４ｎから、受信されたシンボルを取得し、適用可能な場合、受信されたシンボルに対してＭＩＭＯ検出を遂行し、検出されたシンボルを提供しうる。受信プロセッサ１３５８は、検出されたシンボルを処理（例えば、復調、デインタリーブ、復号）し、ＵＥ１１５−ｂのための復号されたデータをデータ出力に提供し、復号された制御情報をプロセッサ１３８０またはメモリ１３８２に提供しうる。
【００９１】
[0107] プロセッサ１３８０は、いくつかのケースでは、受信処理モジュール７１５−ｃのうちの１つまたは複数をインスタンス化する（instantiate）ために、記憶された命令を実行しうる。受信処理モジュール７１５−ｃは、図７、８および／または９を参照して説明された受信処理モジュール７１５の態様の例でありうる。
【００９２】
[0108] アップリンク（ＵＬ）上で、ＵＥ１１５−ｂにおいて、送信プロセッサ１３６４は、データソースからデータを受信し、処理しうる。送信プロセッサ１３６４はまた、基準信号のための基準シンボルを生成しうる。送信プロセッサ１３６４からのシンボルは、適用可能な場合には送信ＭＩＭＯプロセッサ１３６６によってプリコーディングされ、さらに（例えば、ＳＣ−ＦＤＭＡ、等のために）復調器１３５４−ａ〜１３５４−ｎによって処理され、基地局１０５−ｄから受信された送信パラメータにしたがって基地局１０５−ｄに送信されうる。基地局１０５−ｄにおいて、ＵＥ１１５−ｂからのＵＬ信号は、アンテナ１３３４によって受信され、変調器／復調器１３３２によって処理され、適用可能な場合にはＭＩＭＯ検出器１３３６によって検出され、受信プロセッサ１３３８によってさらに処理されうる。受信プロセッサ１３３８は、復号されたデータをデータ出力とプロセッサ１３４０および／またはメモリ１３４２とに提供しうる。プロセッサ１３４０は、いくつかのケースでは、送信管理モジュール１０１５−ｃのうちの１つまたは複数をインスタンス化するために、記憶された命令を実行しうる。送信管理モジュール１０１５−ｃは、図１０、１１および／または１２を参照して説明された送信管理モジュール１０１５の態様の例でありうる。
【００９３】
[0109] ＵＥ１１５−ｂのコンポーネントは、個々にまたは集合的に、ハードウェア中で適用可能な機能のうちのいくつかまたは全てを遂行するように適合された１つまたは複数のＡＳＩＣを用いてインプリメントされうる。言及されたモジュールの各々は、ＭＩＭＯ通信システム１３００の動作に関連する１つまたは複数の機能を遂行するための手段でありうる。同様に、基地局１０５−ｃのコンポーネントは、個々にまたは集合的に、ハードウェア中で適用可能な機能のうちのいくつかまたは全てを遂行するように適合された１つまたは複数のＡＳＩＣを用いてインプリメントされうる。言及されたコンポーネントの各々は、ＭＩＭＯ通信システム１３００の動作に関連する１つまたは複数の機能を遂行するための手段でありうる。
【００９４】
[0110] 図１４は、本開示の様々な態様にしたがって、ワイヤレス通信のための方法１４００の例を例示するフローチャートである。明確さのために、方法１４００は、図１、９および／または１３を参照して説明されたＵＥ１１５のうちの１つまたは複数の態様、および／または、図７および／または８を参照して説明されたデバイス７０５のうちの１つまたは複数の態様を参照して以下に説明される。いくつかの例では、ＵＥは、以下に説明される機能を遂行するためにＵＥの機能的な要素を制御するためコードの１つまたは複数のセットを実行しうる。加えてまたは代替として、ＵＥは、特殊用途ハードウェアを使用して、以下に説明される機能のうちの１つまたは複数を遂行しうる。
【００９５】
[0111] ブロック１４０５において、方法１４００は、データパケットの送信を受信することを含みえ、送信は、データパケットの第１の部分についての第１のコーディングスキーム、およびデータパケットの第２の部分についての第２のコーディングスキームを有する。ブロック１４０５における（１つまたは複数の）動作は、図７−９および／または１３を参照して説明された受信処理モジュール７１５を使用して遂行されうる。いくつかの例では、ブロック１４０５における（１つまたは複数の）動作は、図９を参照して説明されたトランシーバモジュール９３５によって遂行される。
【００９６】
[0112] ブロック１４１０において、方法１４００は、確認応答メッセージを生成するために、データパケットの第１の部分およびデータパケットの第２の部分を処理することを含みうる。ブロック１４１０における（１つまたは複数の）動作は、図７−９および／または１３を参照して説明された受信処理モジュール７１５を使用して遂行されうる。いくつかの例では、ブロック１４１０における（１つまたは複数の）動作は、図９を参照して説明されたプロセッサモジュール９０５によって遂行される。
【００９７】
[0113] ブロック１４１５において、方法１４００は、確認応答メッセージを送信することを含みうる。ブロック１４１５における（１つまたは複数の）動作は、図７−９および／または１３を参照して説明された受信処理モジュール７１５を使用して遂行されうる。いくつかの例では、ブロック１４１５における（１つまたは複数の）動作は、図９を参照して説明されたトランシーバモジュール９３５によって遂行される。
【００９８】
[0114] このことから、方法１４００は、ワイヤレス通信を提供しうる。方法１４００は、単に１つのインプリメンテーションに過ぎず、方法１４００の動作は、他のインプリメンテーションが可能になるように、再配置またはそうでない場合は修正されうることに留意されたい。
【００９９】
[0115] 図１５は、本開示の様々な態様にしたがって、ワイヤレス通信のための方法１５００の例を例示するフローチャートである。明確さのために、方法１５００は、図１、９および／または１３を参照して説明されたＵＥ１１５のうちの１つまたは複数の態様、および／または、図７および／または８を参照して説明されたデバイス７０５のうちの１つまたは複数の態様を参照して以下に説明される。いくつかの例では、ＵＥは、以下に説明される機能を遂行するためにＵＥの機能的な要素を制御するためのコードの１つまたは複数のセットを実行しうる。加えてまたは代替として、ＵＥは、特殊用途ハードウェアを使用して、以下に説明される機能のうちの１つまたは複数を遂行しうる。
【０１００】
[0116] ブロック１５０５において、方法１５００は、データパケットの送信を受信することを含みえ、送信は、データパケットの第１の部分中にペイロードデータ、およびデータパケットの第２の部分中に非ペイロードデータを含む。ブロック１５０５における（１つまたは複数の）動作は、図７−９および／または１３を参照して説明された受信処理モジュール７１５を使用して遂行されうる。いくつかの例では、ブロック１５０５における（１つまたは複数の）動作は、図９を参照して説明されたトランシーバモジュール９３５によって遂行される。
【０１０１】
[0117] ブロック１５１０において、方法１５００は、確認応答メッセージを生成するために、データパケットの第１の部分を処理することを含みうる。ブロック１５１０における（１つまたは複数の）動作は、図７−９および／または１３を参照して説明された受信処理モジュール７１５を使用して遂行されうる。いくつかの例では、ブロック１５１０における（１つまたは複数の）動作は、図９を参照して説明されたプロセッサモジュール９０５によって遂行される。
【０１０２】
[0118] ブロック１５１５において、方法１５００は、確認応答メッセージを送信することを含みうる。ブロック１５１５における（１つまたは複数の）動作は、図７−９および／または１３を参照して説明された受信処理モジュール７１５を使用して遂行されうる。いくつかの例では、ブロック１５１５における（１つまたは複数の）動作は、図９を参照して説明されたトランシーバモジュール９３５によって遂行される。
【０１０３】
[0119] このことから、方法１５００は、ワイヤレス通信を提供しうる。方法１５００は、単に１つのインプリメンテーションに過ぎず、方法１５００の動作は、他のインプリメンテーションが可能になるように、再配置またはそうでない場合は修正されうることに留意されたい。
【０１０４】
[0120] 図１６は、本開示の様々な態様にしたがって、ワイヤレス通信のための方法１６００の例を例示するフローチャートである。明確さのために、方法１６００は、図１、１２および／または１３を参照して説明された基地局１０５のうちの１つまたは複数の態様、および／または、図１０および／または１１を参照して説明された装置１００５のうちの１つまたは複数の態様を参照して以下に説明される。いくつかの例では、ＵＥは、以下に説明される機能を遂行するために基地局の機能的な要素を制御するためのコードの１つまたは複数のセットを実行しうる。加えてまたは代替として、基地局は、特殊用途ハードウェアを使用して、以下に説明される機能のうちの１つまたは複数を遂行しうる。
【０１０５】
[0121] ブロック１６０５において、方法１６００は、受信機にデータパケット中で送信されるべきデータを識別することを含みうる。ブロック１６０５における（１つまたは複数の）動作は、図１０−１３を参照して説明された送信管理モジュール１０１５を使用して遂行されうる。いくつかの例では、ブロック１６０５における（１つまたは複数の）動作は、図１２を参照して説明された基地局プロセッサモジュール１２１０によって遂行される。
【０１０６】
[0122] ブロック１６１０では、方法１６００は、データをコーディングするための第１のコーディングスキームおよび第２のコーディングスキームを識別することを含みうる。ブロック１６１０における（１つまたは複数の）動作は、図１０−１３を参照して説明された送信管理モジュール１０１５を使用して遂行されうる。いくつかの例では、ブロック１６１０における（１つまたは複数の）動作は、図１２を参照して説明された基地局プロセッサモジュール１２１０によって遂行される。
【０１０７】
[0123] ブロック１６１５において、方法１６００は、データパケットの第１の部分およびデータパケットの第２の部分を識別することを含みえ、データパケットの第１の部分は、データパケットの第２の部分とは異なる処理要件に関連付けられる。ブロック１６１５における（１つまたは複数の）動作は、図１０−１３を参照して説明された送信管理モジュール１０１５を使用して遂行されうる。いくつかの例では、ブロック１６１５における（１つまたは複数の）動作は、図１２を参照して説明された基地局プロセッサモジュール１２１０によって遂行される。
【０１０８】
[0124] ブロック１６２０において、方法１６００は、データパケットを送信することを含みえ、データパケットの第１の部分は、第１のコーディングスキームにしたがって送信され、データパケットの第２の部分は、第２のコーディングスキームにしたがって送信される。ブロック１６２０における（１つまたは複数の）動作は、図１０−１３を参照して説明された送信管理モジュール１０１５を使用して遂行されうる。いくつかの例では、ブロック１６２０における（１つまたは複数の）動作は、図１２を参照して説明された（１つまたは複数の）基地局トランシーバモジュール１２５０によって遂行される。
【０１０９】
[0125] このことから、方法１６００は、ワイヤレス通信を提供しうる。方法１６００は、単に１つのインプリメンテーションに過ぎず、方法１６００の動作は、他のインプリメンテーションが可能になるように、再配置またはそうでない場合は修正されうることに留意されたい。
【０１１０】
[0126] 図１７は、本開示の様々な態様にしたがって、ワイヤレス通信のための方法１７００の例を例示するフローチャートである。明確さのために、方法１７００は、図１、１２および／または１３を参照して説明された基地局１０５のうちの１つまたは複数の態様、および／または、図１０および／または１１を参照して説明された装置１００５のうちの１つまたは複数の態様を参照して以下に説明される。いくつかの例では、ＵＥは、以下に説明される機能を遂行するために基地局の機能的な要素を制御するためのコードの１つまたは複数のセットを実行しうる。加えてまたは代替として、基地局は、特殊用途ハードウェアを使用して、以下に説明される機能のうちの１つまたは複数を遂行しうる。
【０１１１】
[0127] ブロック１７０５において、方法１７００は、受信機にデータパケット中で送信されるべきデータを識別することを含みうる。ブロック１７０５における（１つまたは複数の）動作は、図１０−１３を参照して説明された送信管理モジュール１０１５を使用して遂行されうる。いくつかの例では、ブロック１７０５における（１つまたは複数の）動作は、図１２を参照して説明された基地局プロセッサモジュール１２１０によって遂行される。
【０１１２】
[0128] ブロック１７１０において、方法１７００は、データパケットの第１の部分についての第１のコーディングスキーム、およびデータパケットの第２の部分についての第２のコーディングスキームを識別することを含みうる。ブロック１７１０における（１つまたは複数の）動作は、図１０−１３を参照して説明された送信管理モジュール１０１５を使用して遂行されうる。いくつかの例では、ブロック１７１０における（１つまたは複数の）動作は、図１２を参照して説明された基地局プロセッサモジュール１２１０によって遂行される。
【０１１３】
[0129] ブロック１７１５において、方法１７００は、第１および第２のコーディングスキームを示すために、シグナリングを送信することを含みうる。ブロック１７１５における（１つまたは複数の）動作は、図１０−１３を参照して説明された送信管理モジュール１０１５を使用して遂行されうる。いくつかの例では、ブロック１７１５における（１つまたは複数の）動作は、図１２を参照して説明された基地局プロセッサモジュール１２１０によって遂行される。
【０１１４】
[0130] ブロック１７２０において、方法１７００は、データパケットを受信機に送信することを含みうる。ブロック１７２０における（１つまたは複数の）動作は、図１０−１３を参照して説明された送信管理モジュール１０１５を使用して遂行されうる。いくつかの例では、ブロック１７２０における（１つまたは複数の）動作は、図１２を参照して説明された（１つまたは複数の）基地局トランシーバモジュール１２５０によって遂行される。
【０１１５】
[0131] ブロック１７２５において、方法１７００は、データパケットを送信することに反応して、確認応答メッセージを受信することを含みえ、確認応答の送信は、データパケットの第１および第２の部分に関連付けられた２つ以上の確認応答を含む。ブロック１７２５における（１つまたは複数の）動作は、図１０−１３を参照して説明された送信管理モジュール１０１５を使用して遂行されうる。いくつかの例では、ブロック１７２５における（１つまたは複数の）動作は、図１２を参照して説明された（１つまたは複数の）基地局トランシーバモジュール１２５０によって遂行される。
【０１１６】
[0132] このことから、方法１７００は、ワイヤレス通信を提供しうる。方法１７００は、単に１つのインプリメンテーションに過ぎず、方法１７００の動作は、他のインプリメンテーションが可能になるように、再配置またはそうでない場合は修正されうることに留意されたい。
【０１１７】
[0133] いくつかの例では、方法１４００、１５００、１６００、または１７００のうちの２つ以上からの態様が組み合されうる。方法１４００、１５００、１６００、１７００は、単に実例的なインプリメンテーションに過ぎず、方法１４００−１７００の動作は、他のインプリメンテーションが可能になるように、再配置またはそうでない場合は修正されうることに留意されたい。
【０１１８】
[0134] 本明細書で説明された技法は、ＣＤＭＡ、ＴＤＭＡ、ＦＤＭＡ、ＯＦＤＭＡ、ＳＣ−ＦＤＭＡ、および他のシステムのような様々なワイヤレス通信システムに対して使用されうる。「システム」および「ネットワーク」という用語は、交換可能に使用されることが多い。ＣＤＭＡシステムは、ＣＤＭＡ２０００、ユニバーサル地上無線アクセス（ＵＴＲＡ）、等のような無線技術をインプリメントしうる。ＣＤＭＡ２０００は、ＩＳ−２０００、ＩＳ−９５、およびＩＳ−８５６規格をカバーする。ＩＳ−２０００リリース０およびＡは一般に、ＣＤＭＡ２０００ １Ｘ、１Ｘ、等と呼ばれる。ＩＳ−８５６（ＴＩＡ−８５６）は一般に、ＣＤＭＡ２０００ １ｘＥＶ−ＤＯ、高レートパケットデータ（ＨＲＰＤ）、等と呼ばれる。ＵＴＲＡは、広帯域ＣＤＭＡ（ＷＣＤＭＡ（登録商標））およびＣＤＭＡの他の変形を含む。ＴＤＭＡシステムは、モバイル通信のためのグローバルシステム（ＧＳＭ（登録商標））のような無線技術をインプリメントしうる。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（ＷｉＦｉ）、ＩＥＥＥ８０２．１６（ＷｉＭＡＸ）、ＩＥＥＥ８０２．２０、フラッシュＯＦＤＭ（登録商標）、等のような無線技術をインプリメントしうる。ＵＴＲＡおよびＥ−ＵＴＲＡは、ユニバーサルモバイル電気通信システム（ＵＭＴＳ）の一部である。３ＧＰＰロングタームエボリューション（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の団体からの文書中に説明されている。ＣＤＭＡ２０００およびＵＭＢは、「第３世代パートナーシッププロジェクト２」（３ＧＰＰ２）という名称の団体からの文書中に説明されている。本明細書で説明された技法は、上述されたシステムおよび無線技術ならびに認可されていないおよび／または共有された帯域幅上でのセルラ（例えば、ＬＴＥ）通信を含む他のシステムおよび無線技術に対して使用されうる。上記の説明は、しかしながら、実例を目的としてＬＴＥ／ＬＴＥ−Ａシステムを説明しており、ＬＴＥの専門用語が上記の説明の大部分中で使用されているが、本技法は、ＬＴＥ／ＬＴＥ−Ａアプリケーションを超えて適用可能である。
【０１１９】
[0135] 添付された図面に関連して上述された詳細な説明は、例を説明しており、インプリメントされうるまたは特許請求の範囲の範囲内にある例のみを表してはいない。「例（example）」および「例証的（exemplary）」という用語は、この説明中で使用されるとき、「例、事例、または例示としての役割を果たす」ことを意味し、「好ましい」または「他の例に対して有利である」ことを意味しない。詳細な説明は、説明された技法の理解を提供することを目的として特定の詳細を含む。これらの技法は、しかしながら、これらの特定の詳細なしに実施されうる。いくつかの事例では、良く知られている構造および装置は、説明された例の概念を曖昧にすることを避けるために、ブロック図形式で示される。
【０１２０】
[0136] 情報および信号は、多様な異なる技術および技法のうちの任意のものを使用して表わされうる。例えば、上記の説明全体を通じて参照されうるデータ、命令、コマンド、情報、信号、ビット、シンボル、およびチップは、電圧、電流、電磁波、磁場または磁性粒子、光場または光粒子、あるいはそれらの任意の組み合わせによって表されうる。
【０１２１】
[0137] 本明細書での開示に関連して説明された様々な例示的なブロックおよびコンポーネントは、汎用プロセッサ、デジタルシグナルプロセッサ（ＤＳＰ）、ＡＳＩＣ、ＦＰＧＡまたは他のプログラマブル論理デバイス、離散ゲートまたはトランジスタ論理、離散ハードウェアコンポーネント、あるいは本明細書で説明された機能を遂行するように設計されたそれらの任意の組み合わせを用いてインプリメントまたは遂行されうる。汎用プロセッサは、マイクロプロセッサでありうるが、代替では、プロセッサは、任意の従来のプロセッサ、コントローラ、マイクロコントローラ、またはステートマシンでありうる。プロセッサはまた、計算デバイスの組み合わせ、例えば、ＤＳＰおよびマイクロプロセッサの組み合わせ、複数のマイクロプロセッサ、ＤＳＰコアと連携した１つまたは複数のマイクロプロセッサ、あるいは任意の他のそのような構成としてインプリメントされうる。
【０１２２】
[0138] 本明細書で説明された機能は、ハードウェア、プロセッサによって実行されるソフトウェア、ファームウェア、またはそれらの任意の組み合わせ中でインプリメントされうる。プロセッサによって実行されるソフトウェアでインプリメントされる場合、機能は、コンピュータ可読媒体上で、１つまたは複数の命令またはコードとして記憶または送信されうる。他の例およびインプリメンテーションは、本開示および添付された特許請求の範囲の範囲および精神内にある。例えば、ソフトウェアの性質に起因して、上述された機能は、プロセッサによって実行されるソフトウェア、ハードウェア、ファームウェア、ハード配線、またはこれらのうちのいずれかの組み合わせを使用してインプリメントされることができる。機能をインプリメントする特徴はまた、機能の一部分が異なる物理的ロケーションにおいてインプリメントされるように分散されることを含めて、様々な位置に物理的にロケートされうる。特許請求の範囲を含む、本明細書で使用される場合、「および／または（and/or）」という用語は、２つ以上の項目のリスト中で使用されるとき、リストされた項目のうちのいずれか１つが単独で用いられることができる、またはリストされた項目のうちの２つ以上の任意の組み合わせが用いられることができることを意味する。例えば、ある構成が、コンポーネントＡ、Ｂ、および／またはＣを含むものとして説明されている場合、その構成は、Ａだけ、Ｂだけ、Ｃだけ、ＡとＢの組み合わせ、ＡとＣの組み合わせ、ＢとＣの組み合わせ、またはＡとＢとＣの組み合わせを含むことができる。また、特許請求の範囲を含めて、本明細書で使用される場合、項目のリスト（例えば、「〜のうちの少なくとも１つ（at least one of）」または「〜のうちの１つまたは複数（one or more of）」のようなフレーズで始まる項目のリスト）中で使用される「または／あるいは／もしくは（or）」は、例えば、「Ａ、Ｂ、またはＣのうちの少なくとも１つ」のリストが、Ａ、Ｂ、Ｃ、ＡとＢ、ＡとＣ、ＢとＣ、ＡとＢとＣ（すなわち、Ａ、Ｂ、およびＣ）を意味するような、選言的なリストを示す。
【０１２３】
[0139] コンピュータ可読媒体は、ある場所から別の場所へのコンピュータプログラムの転送を容易にする任意の媒体を含む通信媒体とコンピュータ記憶媒体との両方を含む。記憶媒体は、汎用または特殊用途コンピュータによってアクセスされることができる任意の利用可能な媒体でありうる。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスク記憶装置、磁気ディスク記憶装置または他の磁気記憶デバイス、あるいは命令またはデータ構造の形態で所望のプログラムコード手段を搬送または記憶するために使用されることができ、汎用または特殊用途コンピュータ、もしくは汎用または特殊用途プロセッサによってアクセスされることができる任意の他の媒体を備えることができる。また、任意の接続は、厳密にはコンピュータ可読媒体と称される。例えば、ソフトウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバケーブル、ツイストペア、ＤＳＬ、または赤外線、無線、およびマイクロ波のようなワイヤレス技術は、媒体の定義中に含まれる。ディスク（disk）およびディスク（disc）は、本明細書で使用される場合、コンパクトディスク（ＣＤ）（disc）、レーザーディスク（登録商標）（disc）、光ディスク（disc）、デジタル多用途ディスク（ＤＶＤ）（disc）、フロッピー（登録商標）ディスク（disk）、およびＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。上記の組み合わせもまた、コンピュータ可読媒体の範囲内に含まれる。
【０１２４】
[0140] 本開示の先の説明は、当業者が本開示を製造または使用することを可能にするために提供される。本開示に対する様々な修正は、当業者にとって容易に明らかとなり、本明細書で定義された包括的な原理は、本開示の範囲から逸脱することなしに他の変形に適用されうる。このことから、本開示は、本明細書で説明された例および設計に限定されるべきではなく、本明細書で開示された原理および新規の特徴と一致する最も広い範囲が付与されるべきである。
【図１】
2018501744.tif 000003
【図２】
2018501744.tif 000004
【図３】
2018501744.tif 000005
【図４】
2018501744.tif 000006
【図５】
2018501744.tif 000007
【図６】
2018501744.tif 000008
【図７】
2018501744.tif 000009
【図８】
2018501744.tif 000010
【図９】
2018501744.tif 000011
【図１０】
2018501744.tif 000012
【図１１】
2018501744.tif 000013
【図１２】
2018501744.tif 000014
【図１３】
2018501744.tif 000015
【図１４】
2018501744.tif 000016
【図１５】
2018501744.tif 000017
【図１６】
2018501744.tif 000018
【図１７】
2018501744.tif 000019
【国際調査報告】
2018501744.tif 000020
2018501744.tif 000021
2018501744.tif 000022
2018501744.tif 000023
2018501744.tif 000024